(57)【要約】【課題】弁機構の弁を比較的小さい力で押圧して機能させることができる可撓膜機構、流路部材及び液体噴射装置を提供する。【解決手段】弁機構７０に用いる可撓膜機構８０であって、蓋部材８１と、前記蓋部材８１との間で空間Ｒ3を形成する可撓膜８３と、前記空間Ｒ３と連通する流体流路７５と、を備え、前記可撓膜８３は、当該可撓膜８３の変形により前記弁機構７０の弁Ｂ[1]を開閉させ、前記蓋部材８１側に凸となり、前記凸の反対側に凹となる突出部８５０を有する。【選択図】図５
2018154051.tif 000002
【特許請求の範囲】
【請求項１】
弁機構に用いる可撓膜機構であって、
蓋部材と、
前記蓋部材との間で空間を形成する可撓膜と、
前記空間と連通する流体流路と、
を備え、
前記可撓膜は、
当該可撓膜の変形により前記弁機構の弁を開閉させ、
前記蓋部材側に凸となり、前記凸の反対側に凹となる突出部を有することを特徴とする可撓膜機構。
【請求項２】
前記可撓膜は、前記空間外で固定された固定部と該固定部から前記空間内に延設された可撓部とを具備し、
前記可撓部の前記固定部側の根元から前記可撓部と前記弁機構との当接位置までの当該可撓部の長さは、前記可撓膜の前記可撓部の前記根元と前記弁との最短距離よりも長いことを特徴とする請求項１記載の可撓膜機構。
【請求項３】
前記可撓膜は、前記蓋部材と当該蓋部材の前記可撓膜側に設けられた部材との間で挟まれて固定されており、
前記可撓膜の前記凹の相対向する内壁面同士が互いに当接することなく、間隔を空けて配置されていることを特徴とする請求項１又は２記載の可撓膜機構。
【請求項４】
前記可撓膜は、前記空間外で前記蓋部材と当該蓋部材の前記可撓膜側に設けられた部材との間で挟まれて固定された固定部と該固定部から前記空間内に延設された可撓部とを具備し、
前記可撓膜の前記固定部が挟まれる方向において、前記可撓部の前記固定部側の端部の中心は、前記固定部の前記可撓部側の端部の中心よりも前記弁側に位置することを特徴とする請求項１〜３の何れか一項に記載の可撓膜機構。
【請求項５】
前記弁機構は、前記弁に連通する部屋と、前記部屋の少なくとも一部を規定するフィルムであって、変形により前記弁を開閉させるフィルムと、を具備し、
前記フィルムと前記可撓膜との間の距離を一定に保つためのスペーサーを具備することを特徴とする請求項１〜４の何れか一項に記載の可撓膜機構。
【請求項６】
請求項１〜５の何れか一項に記載の可撓膜機構と、
弁機構と、
を具備することを特徴とする流路部材。
【請求項７】
請求項１〜５の何れか一項に記載の可撓膜機構と、
液体を噴射する液体噴射ヘッドと、
を具備することを特徴とする液体噴射装置。
【発明の詳細な説明】
【技術分野】
【０００１】
本発明は、弁機構に用いられて弁の開閉に用いられる可撓膜機構、可撓膜機構を有する流路部材、可撓膜機構を有する液体噴射装置に関する。
【背景技術】
【０００２】
液体噴射装置は、インクタンクなどの液体貯留手段から供給されたインク等の液体を圧力発生手段の圧力変化によって複数のノズルから液滴として噴射する液体噴射ヘッドを武備する。また、液体貯留手段から供給されたインク等の液体が液体噴射ヘッドに所定の圧力で供給されるように、流路の途中に下流側の流路が負圧になることで開弁する圧力調整弁が設けられた構成が提案されている（例えば、特許文献１参照）。
【０００３】
また、特許文献１では、下流側の流路の圧力に関わらず、弁を外部から押圧することで開弁させる可撓膜機構が設けられた構成が開示されている。
また、空気等の流体を加圧して供給することによって、圧力調整弁を押圧して開弁させる構成が開示されている（例えば、特許文献２参照）。
【先行技術文献】
【特許文献】
【０００４】
【特許文献１】特開２０１２−１１１０４４号公報
【特許文献２】特開２０１５−１８９２０１号公報
【発明の概要】
【発明が解決しようとする課題】
【０００５】
しかしながら、弁を外部から押圧する際に、受圧部の全面を押圧すると、受圧部から受ける反力が大きくなるため、受圧部を押圧する圧力を高くする必要がある。このため、受圧部を押圧する液体を加圧するためのポンプ等の圧送手段として、加圧能力の高いものや大型なものが必要となり、大型化すると共に高コストになってしまうという問題がある。
【０００６】
なお、このような問題は、液体噴射装置に代表される流路部材に用いられる可撓膜機構に限定されず、弁機構を有する他のデバイスに用いられる可撓膜機構においても同様に存在する。
【０００７】
本発明はこのような事情に鑑み、弁機構の弁を比較的小さい力で押圧して機能させることができる可撓膜機構、流路部材及び液体噴射装置を提供することを目的とする。
【課題を解決するための手段】
【０００８】
上記課題を解決する本発明の態様は、弁機構に用いる可撓膜機構であって、蓋部材と、前記蓋部材との間で空間を形成する可撓膜と、前記空間と連通する流体流路と、を備え、前記可撓膜は、当該可撓膜の変形により前記弁機構の弁を開閉させ、前記蓋部材側に凸となり、前記凸の反対側に凹となる突出部を有することを特徴とする可撓膜機構にある。
かかる態様では、突出部を有する可撓膜を設けることで、可撓膜が流体流路からの圧力を受ける面積を増大させて、可撓膜を比較的低い圧力で動作させることができる。特に、可撓膜の凹凸となる突出部を広げるように変形させることができるため、可撓膜を厚さが薄くなるように伸長させて変形させるのに比べて比較的低い圧力で変形させることができる。
【０００９】
ここで、前記可撓膜は、前記空間外で固定された固定部と該固定部から前記空間内に延設された可撓部とを具備し、前記可撓部の前記固定部側の根元から前記可撓部と前記弁機構との当接位置までの当該可撓部の長さは、前記可撓膜の前記可撓部の前記根元と前記弁との最短距離よりも長いことが好ましい。これによれば、可撓膜の突出部が広がるように変形した際に、可撓膜を弁に確実に当接させて動作させることができる。また、可撓膜を伸長するように変形させる必要がないため、可撓膜を比較的低い圧力で動作させることができる。
【００１０】
また、前記可撓膜は、前記蓋部材と当該蓋部材の前記可撓膜側に設けられた部材との間で挟まれて固定されており、前記可撓膜の前記凹の相対向する内壁面同士が互いに当接することなく、間隔を空けて配置されていることが好ましい。これによれば、可撓膜の変形が阻害されるのを抑制して、可撓膜を比較的低い圧力で動作させることができる。
【００１１】
また、前記可撓膜は、前記空間外で前記蓋部材と当該蓋部材の前記可撓膜側に設けられた部材との間で挟まれて固定された固定部と該固定部から前記空間内に延設された可撓部とを具備し、前記可撓膜の前記固定部が挟まれる方向において、前記可撓部の前記固定部側の端部の中心は、前記固定部の前記可撓部側の端部の中心よりも前記弁側に位置することが好ましい。これによれば、可撓膜が蓋部材側に凸となるように変形するのを抑制して、可撓膜と弁との距離が遠くなるのを抑制することができる。
【００１２】
また、前記弁機構は、前記弁に連通する部屋と、前記部屋の少なくとも一部を規定するフィルムであって、変形により前記弁を開閉させるフィルムと、を具備し、前記フィルムと前記可撓膜との間の距離を一定に保つためのスペーサーを具備することが好ましい。これによれば、スペーサーによってフィルムと可撓膜との距離を一定に保つことで、可撓膜が動作しない状態で、可撓膜がフィルムの変形を阻害するのを抑制することができる。
【００１３】
さらに、本発明の他の態様は、上記態様の可撓膜機構と、弁機構と、を具備することを特徴とする流路部材にある。
かかる態様では、弁機構の弁を比較的小さい力で押圧して機能させることができる流路部材を実現できる。
【００１４】
また、本発明の他の態様は、上記態様の可撓膜機構と、液体を噴射する液体噴射ヘッドと、を具備することを特徴とする液体噴射装置にある。
かかる態様では、弁機構の弁を比較的小さい力で押圧して機能させることができる液体噴射装置を実現できる。
【図面の簡単な説明】
【００１５】
【図１】本発明の実施形態１に係る液体噴射装置の構成図である。
【図２】液体噴射ヘッドの分解斜視図である。
【図３】液体噴射ユニットの内部流路の説明図である。
【図４】液体噴射部の断面図である。
【図５】流路ユニットの要部断面図である。
【図６】流路ユニットの要部断面図である。
【図７】可撓膜の平面図である。
【図８】流路ユニットの要部断面図である。
【図９】流路ユニットの要部断面図である。
【図１０】脱泡空間および逆止弁の説明図である。
【図１１】初期充填時における液体噴射ヘッドの状態の説明図である。
【図１２】通常使用時における液体噴射ヘッドの状態の説明図である。
【図１３】脱泡動作時における液体噴射ヘッドの状態の説明図である。
【図１４】実施形態２に係る流路ユニットの要部断面図である。
【図１５】実施形態２に係る流路ユニットの要部断面図である。
【図１６】実施形態２に係る流路ユニットの変形例を示す要部断面図である。
【図１７】実施形態３に係る流路ユニットの要部断面図である。
【図１８】実施形態３に係る流路ユニットの要部断面図である。
【図１９】実施形態４に係る流路ユニットの要部断面図である。
【図２０】実施形態４に係る流路ユニットの要部断面図である。
【図２１】実施形態５に係る流路ユニットの要部断面図である。
【図２２】実施形態５に係る流路ユニットの要部断面図である。
【図２３】可撓膜の変形例を示す平面図である。
【図２４】可撓膜の変形例を示す平面図である。
【図２５】流路ユニットの変形例を示す要部断面図である。
【図２６】流路ユニットの変形例を示す要部断面図である。
【発明を実施するための形態】
【００１６】
以下に本発明を実施形態に基づいて詳細に説明する。
（実施形態１）
図１は、本発明の実施形態１に係る液体噴射装置の構成を示す図である。本実施形態の液体噴射装置１００は、液体であるインクを媒体１２に噴射するインクジェット方式記録装置である。媒体１２としては、例えば、紙や樹脂フィルム、布等が挙げられる。
【００１７】
液体噴射装置１００には、インクを貯留する液体容器１４が固定されている。液体容器１４としては、例えば液体噴射装置１００に着脱可能なカートリッジ、可撓性のフィルムで形成された袋状のインクパック、インクを補充可能なインクタンクなどが挙げられる。また、特に図示していないが、液体容器１４には、色や種類の異なる複数種類のインクが貯留されている。
【００１８】
また、液体噴射装置１００は、制御部である制御ユニット２０と搬送機構２２と液体噴射ヘッド２４とを具備する。
制御ユニット２０は、特に図示していないが、例えばＣＰＵ（Central Processing Unit）またはＦＰＧＡ（Field Programmable Gate Array）等の制御装置と半導体メモリ等の記録装置とを含んで構成され、記憶装置に記憶されたプログラムを制御装置が実行することで液体噴射装置１００の各要素を統括的に制御する。
【００１９】
搬送機構２２は、制御ユニット２０によって制御されて媒体１２をＹ方向に搬送するものであり、例えば、搬送ローラーを有する。なお、媒体１２を搬送する搬送機構は、搬送ローラーに限らず、ベルトやドラムによって媒体１２を搬送するものであってもよい。
【００２０】
移動機構２６は、制御ユニット２０によって制御されて液体噴射ヘッド２４をＸ方向に往復させる。移動機構２６によって液体噴射ヘッド２４が往復するＸ方向は、媒体１２が搬送されるＹ方向に交差する方向である。また、Ｘ方向及びＹ方向の双方に交差する方向を本実施形態では、Ｚ方向と称する。本実施形態では、各方向（Ｘ、Ｙ、Ｚ）の関係を直交とするが、各構成の配置関係が必ずしも直交するものに限定されるものではない。
【００２１】
具体的には、本実施形態の移動機構２６は、搬送体２６２と搬送ベルト２６４とを具備する。搬送体２６２は、液体噴射ヘッド２４を支持する略箱形の構造体、所謂、キャリッジであり、搬送ベルト２６４に固定される。搬送ベルト２６４は、Ｘ方向に沿って架設された無端ベルトである。制御ユニット２０による制御のもとで搬送ベルト２６４が回転することで液体噴射ヘッド２４が搬送体２６２と共にＸ方向に沿って往復する。なお、液体容器１４を液体噴射ヘッド２４と共に搬送体２６２に搭載することも可能である。
【００２２】
液体噴射ヘッド２４は、液体容器１４から供給されたインクを制御ユニット２０による制御のもとで媒体１２に液滴として噴射する。なお、液体噴射ヘッド２４からのインク滴の噴射は、Ｚ方向の正側に向かって行われる。そして、搬送機構２２によって媒体１２がＹ方向に搬送されると共に移動機構２６によって液体噴射ヘッド２４がＸ方向に搬送される際に、液体噴射ヘッド２４が媒体１２にインク滴を噴射することで、媒体１２には所望の画像が形成される。
【００２３】
ここで、本実施形態の液体噴射ヘッド２４について図２を参照してさらに詳細に説明する。なお、図２は、本発明の実施形態１に係る液体噴射ヘッドの分解斜視図である。
図２に示すように、本実施形態の液体噴射ヘッド２４は、第１支持体２４２と複数の組立体２４４とを具備する。第１支持体２４２は、複数の組立体２４４を支持する板状部材である。複数の組立体２４４は、Ｘ方向に並設された状態で第１支持体２４２に固定されている。
【００２４】
複数の組立体２４４の各々は、接続ユニット３２と第２支持体３４と分配流路３６と複数、本実施形態では６個の液体噴射モジュール３８とを具備する。なお、液体噴射ヘッド２４を構成する組立体２４４の数や組立体２４４を構成する液体噴射モジュール３８の数は上述したものに限定されるものではない。
【００２５】
接続ユニット３２のＺ方向の正側に位置する第２支持体３４に複数の液体噴射モジュール３８がＹ方向に並設された列がＸ方向に２列で配置され、複数の液体噴射モジュール３８のＸ方向の側方に分配流路３６が配置される。分配流路３６は、液体容器１４から供給されるインクを複数の液体噴射モジュール３８の各々に分配する流路が内部に形成された構造体であり、複数の液体噴射モジュール３８に亘ってＹ方向に長尺に構成される。
【００２６】
このような液体噴射モジュール３８は、液体噴射ユニット４０と連結ユニット５０とを具備する。液体噴射ユニット４０は、液体容器１４から分配流路３６を介して供給されるインクを媒体１２にインク滴として噴射する。
【００２７】
本実施形態の液体噴射ユニット４０についてさらに図３を参照して説明する。なお、図３は、本実施形態の流路ユニットを示す断面図である。
図３に示すように、本実施形態の液体噴射ユニット４０は、流路部材である流路ユニット４１と脱泡流路ユニット４２と液体噴射部４４とを具備する。
【００２８】
ここで、液体噴射部４４についてさらに図４を参照して説明する。なお、図４は、液体噴射ヘッドのうち任意の１個のノズルＮに対応した部分の断面図である。
図３に示すように、本実施形態の液体噴射部４４は、圧力室基板４８２と振動板４８３と圧電アクチュエーター４８４と筐体部４８５と保護基板４８６とが流路基板４８１の一方側に配置されると共に、他方側にノズル板４８７および緩衝板４８８が配置された構造体である。
【００２９】
流路基板４８１と圧力室基板４８２とノズル板４８７とは例えばシリコンの平板材で形成され、筐体部４８５は例えば樹脂材料の射出成形で形成される。複数のノズルＮはノズル板４８７に形成される。ノズル板４８７のうち流路基板４８１とは反対側の表面が噴射面となっている。
【００３０】
流路基板４８１には、開口部４８１Ａと絞り流路である分岐流路４８１Ｂと連通流路４８１Ｃとが形成される。分岐流路４８１Ｂおよび連通流路４８１ＣはノズルＮ毎に形成された貫通孔であり、開口部４８１Ａは複数のノズルＮに亘って連続する開口である。緩衝板４８８は、流路基板４８１のうち圧力室基板４８２とは反対側の表面に設置されて開口部４８１Ａを閉塞する平板材からなるコンプライアンス基板である。開口部４８１Ａ内の圧力変動は緩衝板４８８が可撓変形することによって吸収される。
【００３１】
筐体部４８５には、流路基板４８１の開口部４８１Ａに連通する共通液室であるマニホールドＳRが形成される。マニホールドＳRは、複数のノズルＮに供給されるインクを貯留する空間であり、複数のノズルＮに亘って連続して設けられている。また、マニホールドＳRには、上流側から供給されるインクが流入する流入口Ｒinが形成される。
【００３２】
圧力室基板４８２には、ノズルＮ毎に開口部４８２Ａが形成されている。振動板４８３は、圧力室基板４８２のうち流路基板４８１とは反対側の表面に設置された弾性変形可能な平板材である。圧力室基板４８２の各開口部４８２Ａの内側で振動板４８３と流路基板４８１とに挟まれた空間は、マニホールドＳRから分岐流路４８１Ｂを介して供給されるインクが充填される圧力室（キャビティ）ＳCとして機能する。各圧力室ＳCは、流路基板４８１の連通流路４８１Ｃを介してノズルＮに連通する。
【００３３】
振動板４８３の圧力室基板４８２とは反対側の表面には、ノズルＮ毎に圧電アクチュエーター４８４が形成される。各圧電アクチュエーター４８４は、相互に対向する電極間に圧電体を介在させた駆動素子である。圧電アクチュエーター４８４は、駆動信号に基づいて変形することで振動板４８３を振動させて、圧力室ＳC内のインクの圧力を変動させることで、圧力室ＳC内のインクがノズルＮから噴射される。また、保護基板４８６は、複数の圧電アクチュエーター４８４を保護する。
【００３４】
ここで、液体噴射ユニット４０の流路ユニット４１についてさらに図５〜図８を参照して説明する。なお、図５は、図３のうち流路ユニットの要部断面図であって減圧動作時を示す図であり、図６は、図５のＡ−Ａ′線断面図であり、図７は、可撓膜の平面図であり、図８は、流路ユニットの要部断面図であって加圧動作時を示す図である。
【００３５】
図３及び図５に示すように、流路ユニット４１は、弁機構７０と可撓膜機構８０とを内包する。流路ユニット４１の内部には、空間Ｒ1と空間Ｒ2と制御室ＲCと空間Ｒ3とが形成される。本実施形態では、弁機構７０に空間Ｒ1と空間Ｒ2とが形成され、可撓膜機構８０に空間Ｒ3が形成され、弁機構７０と可撓膜機構８０との間に制御室ＲCが形成されている。
【００３６】
弁機構７０は、弁機構筐体７１と開閉弁Ｂ[1]とフィルム７２とを有する。弁機構筐体７１には、液体圧送機構１６に接続された空間Ｒ1が設けられている。液体圧送機構１６は、液体容器１４に貯留されたインクを加圧状態で液体噴射ユニット４０に供給、すなわち、圧送する機構である。また、弁機構筐体７１には、脱泡流路ユニット４２と接続された空間Ｒ2が設けられている。弁機構筐体７１の可撓膜機構８０側、すなわち、Ｚ方向の負側には、可動膜であるフィルム７２が設けられており、空間Ｒ2の壁面の一部はフィルム７２によって構成されている。また、空間Ｒ1と空間Ｒ2との間に開閉弁Ｂ[1]が設置されている。
【００３７】
開閉弁Ｂ[1]は、弁座７２１と弁体７２２と受圧板７２３とバネ７２４とを具備する。弁座７２１は、弁機構筐体７１の一部であって空間Ｒ1と空間Ｒ2とを仕切る平板状の部分である。弁座７２１には、空間Ｒ1と空間Ｒ2とを連通させる連通孔ＨAが形成される。受圧板７２３は、フィルム７２のうち弁座７２１との対向面に設置された略円形状の平板材である。すなわち、受圧板７２３は、フィルム７２上に設けられている。このようにフィルム７２に受圧板７２３を設けることで、弁体７２２が直接フィルム７２に当接する場合に比べてフィルム７２の破れや変形を抑制することができる。なお、受圧板７２３は、フィルム７２と接合されていてもよく、また、接合されていなくてもよい。つまり、受圧板７２３がフィルム７２上に設けられているとは、フィルム７２に接合された状態も、接合されずに接触可能に配置された状態も含むものである。受圧板７２３がフィルム７２と接合されている場合には、詳しくは後述する可撓膜８３がフィルム７２を介してインクから受ける圧力は、受圧板７２３の面積に依存する。また、受圧板７２３がフィルム７２と接合されていない場合には、可撓膜８３の先端がフィルム７２を介してインクから受ける圧力は可撓膜８３の先端の面積となる。本実施形態では、受圧板７２３は、フィルム７２と接合されていない。
【００３８】
弁体７２２は、基部７２５と弁軸７２６と封止部７２７とを包含する。基部７２５の表面から弁軸７２６が垂直に突起し、平面視で弁軸７２６を包囲する円環状の封止部７２７が基部７２５の表面に設置される。弁体７２２は、連通孔ＨAに弁軸７２６が挿入された状態で空間Ｒ1内に配置され、バネ７２４により弁座７２１側、すなわち、Ｚ方向の負側に付勢される。弁軸７２６の外周面と連通孔ＨAの内周面との間には隙間が形成される。
【００３９】
可撓膜機構８０は、蓋部材８１とスペーサー８２と可撓膜８３とを有する。蓋部材８１には、弁機構７０側、すなわち、Ｚ方向の正側に開口する凹部８１１が設けられており、凹部８１１の開口は可撓膜８３によって覆われることで内部に空間Ｒ3が形成されている。また、スペーサー８２は蓋部材８１のフィルム７２側に設けられている。すなわち、スペーサー８２は、弁機構７０のフィルム７２側において蓋部材８１との間に設けられている。スペーサー８２には、Ｚ方向において空間Ｒ3に重なる位置に、Ｚ方向に亘って貫通した貫通部８２１が設けられており、貫通部８２１の内部に制御室ＲCが形成されている。すなわち、制御室ＲCと空間Ｒ3との間には、可撓膜８３が介在する。また、制御室ＲCの壁面の一部はフィルム７２と可撓膜８３とによって構成されている。空間Ｒ3は、流体供給源である圧力調整機構１８に接続された流体流路である脱泡経路７５に接続されている。本実施形態では、脱泡経路７５は、空間Ｒ3のＺ方向において可撓膜８３に対向する壁に開口する開口部７５ａによって接続されている。
【００４０】
可撓膜８３は、ゴムやエラストマー等の弾性材料で形成されている。可撓膜８３は、本実施形態では、圧力調整機構１８の加圧動作によって脱泡経路７５を介して空間Ｒ3が加圧された際に制御室ＲCの内側に、すなわち、フィルム７２側に向かって凸状に突出するように弾性変形する。
【００４１】
このような可撓膜８３は、図５、図６及び図７に示すように、蓋部材８１とこの蓋部材８１の凹部８１１が開口する面側に設けられた部材、本実施形態では、スペーサー８２との間で挟まれて固定された固定部８４と固定部８４から空間Ｒ3内に延設された可撓部８５とを有する。そのため、固定部８４は空間Ｒ3外で固定される。また、可撓部８５は、加圧動作が行われていない場合において、空間Ｒ3側に凸となり、凸の反対側であるフィルム７２側に凹となる突出部８５０を有する。
【００４２】
本実施形態では、可撓部８５は、当接部８５１と第１壁部８５２と第１接続部８５３と第２壁部８５４と第２接続部８５５とを有する。可撓部８５を構成する当接部８５１と第１壁部８５２と第１接続部８５３と第２壁部８５４と第２接続部８５５とは略同じ厚さを有し、固定部８４は可撓部８５よりも厚くなっている。
【００４３】
当接部８５１は、本実施形態では、可撓膜８３が弾性変形した際に、開閉弁Ｂ[1]に当接する部分であり、受圧板７２３にＺ方向で対向する位置、すなわち、Ｚ方向からの平面視において受圧板７２３に重なる位置に設けられている。本実施形態では、Ｚ方向から平面視した際に制御室ＲCの中心に受圧板７２３の中心が位置するように設けられているため、当接部８５１は制御室ＲCの中心となる位置に配置されている。このような当接部８５１は、本実施形態では、Ｘ方向及びＹ方向を含む方向に沿って延設されている。また、当接部８５１は、受圧板７２３の面積よりも小さな面積を有する。当接部８５１が、受圧板の面積よりも小さな面積を有するとは、Ｘ方向及びＹ方向の両方向において、当接部８５１が受圧板７２３よりも狭い幅を有することをいう。このように、当接部８５１の受圧板７２３の面積よりも小さな面積とすることで、当接部８５１の位置ずれが生じた場合であっても、当接部８５１によって受圧板７２３を確実に押圧することができる。
【００４４】
第１壁部８５２は、当接部８５１の周囲に亘って連続した環状に設けられている。第１壁部８５２は、当接部８５１よりもフィルム７２とは反対側に立設されている。具体的には、第１壁部８５２は、一端が当接部８５１に接続され、他端が当接部８５１よりもフィルム７２とは反対側である蓋部材８１側に位置するようにＺ方向に沿って延設されている。
【００４５】
第１接続部８５３は、第１壁部８５２の周囲に亘って連続した環状に設けられている。第１接続部８５３は、一端が第１壁部８５２の蓋部材８１側に位置する他端に接続されており、他端が第１壁部８５２よりも外側にＸ方向及びＹ方向を含む方向に延設されている。
【００４６】
第２壁部８５４は、第１接続部８５３の周囲に亘って連続した環状に設けられている。第２壁部８５４は、第１接続部８５３よりもフィルム７２側に立設されている。具体的には、第２壁部８５４は、一端が第１接続部８５３に接続され、他端が第１接続部８５３よりもフィルム７２側で、且つ当接部８５１よりも蓋部材８１側の位置となるようにＺ方向に沿って延設されている。
【００４７】
第２接続部８５５は、第２壁部８５４の周囲に亘って連続した環状に設けられている。第２接続部８５５は、一端が第２壁部８５４の他端に接続されており、他端が第２壁部８５４よりも外側に第１の方向Ｘ及び第２の方向Ｙを含む方向に延設されている。また、第２接続部８５５は、第２壁部８５４に接続された一端とは反対側の他端において、固定部８４に接続されている。すなわち、第２接続部８５５は固定部８４と第２壁部８５４とを接続する。このような可撓膜８３では、固定部８４が蓋部材８１とスペーサー８２とによって挟まれるＺ方向において、可撓部８５の固定部８４側の根元、すなわち、第２接続部８５５の固定部８４側の端部の中心Ｃ1は、固定部８４の可撓部８５側の端部の中心Ｃ2よりも開閉弁Ｂ[１]側に設けられている。
【００４８】
このように当接部８５１の周囲には、中心が同一である環状の第１壁部８５２と第１接続部８５３と第２壁部８５４と第２接続部８５５とによって蛇腹が形成されている。すなわち、本実施形態の可撓部８５には、当接部８５１と当接部８５１の周囲に設けられた第１壁部８５２とによって蓋部材８１側に開口する第１凹部８６１が設けられている。また、第１凹部８６１の周囲には、第１壁部８５２と第１接続部８５３と第２壁部８５４とによってフィルム７２側に開口する第２凹部８６２が周方向に亘って連続した環状に設けられている。さらに、第２凹部８６２の周囲には、第２壁部８５４と第２接続部８５５と固定部８４とによって蓋部材８１側に開口する第３凹部８６３が周方向に亘って連続した環状に設けられている。これら第１凹部８６１と第２凹部８６２と第３凹部８６３とは、Ｚ方向から平面視した際に互いに重ならない位置に設けられており、これにより蛇腹が形成されている。つまり、本実施形態では、可撓部８５の第１壁部８５２と第１接続部８５３と第２壁部８５４とが蓋部材８１側に凸となりフィルム７２側に凹（第２凹部８６２）となる突出部８５０となっている。ちなみに、可撓膜として蓋部材８１側が凸となり、フィルム７２側が凹となっていないものは突出部が形成されているとはいわない。つまり、板状の可撓膜の一部の厚みを変えることで、可撓膜の蓋部材８１側に凸が形成されていても、フィルム７２側が平坦面となっている場合には、突出部が形成されているとはいわない。同様に、可撓膜のフィルム７２側に凹となる溝が形成されており、蓋部材８１側が平坦面となっている場合には、突出部が形成されているとはいわない。
【００４９】
また、本実施形態では、突出部８５０によってフィルム７２側に凹となる第２凹部８６２の相対向する内壁面同士は、互いに当接することなく間隔を空けて配置されている。すなわち、第１壁部８５２と第２壁部８５４とは、互いに当接することなく、所定の間隔を空けて配置されている。なお、本実施形態では、第１凹部８６１及び第３凹部８６３についても第２凹部８６２と同様に、相対向する内壁面同士が互いに当接することなく、所定の間隔を空けて配置されている。
【００５０】
ここで空間Ｒ3に接続された脱泡経路７５は、図３に示すように、分配流路３６内の流路を介して流体供給源である圧力調整機構１８に接続される。圧力調整機構１８は、当該圧力調整機構１８に接続された流路に流体である空気を供給する加圧動作と、当該流路から流体である空気を吸引する減圧動作とを、制御ユニット２０からの指示に応じて選択的に実行可能である。圧力調整機構１８から内部空間に空気が供給されること（すなわち加圧）で可撓膜８３はフィルム７２側に突出するように変形し、圧力調整機構１８による空気の吸引（すなわち減圧）により可撓膜８３の変形が解除されて元の状態に戻る。
【００５１】
ここで、圧力調整機構１８の加圧動作によって、可撓膜８３が変形すると、図８に示すように、当接部８５１がフィルム７２に向かって移動するように弾性変形する。すなわち、可撓部８５は、蛇腹に形成された第１壁部８５２と第１接続部８５３と第２壁部８５４とが広がるように弾性変形して、当接部８５１が開閉弁Ｂ[1]に向かって移動する。なお、第１壁部８５２と第１接続部８５３と第２壁部８５４とで形成された第２凹部８６２が広がるように弾性変形するとは、第２接続部８５５からＺ方向の負側に延設された第２壁部８５４が、Ｚ方向の正側に屈曲するように弾性変形することをいう。このような可撓部８５の弾性変形によって、本実施形態では、第１壁部８５２と第１接続部８５３と第２壁部８５４と第２接続部８５５とが、固定部８４と可撓部８５との境界、すなわち、可撓部８５の根元からフィルム７２に向かって略一直線上に配置されて、当接部８５１をフィルム７２側に移動させる。そして、フィルム７２側に移動した当接部８５１がフィルム７２に当接してフィルム７２をＺ方向の正側に押圧することで開閉弁Ｂ[1]が開弁される。
【００５２】
つまり、本実施形態では、可撓部８５の当接部８５１のみがフィルム７２に当接して開閉弁Ｂ[1]を開弁するため、可撓部８５のフィルム７２を押す先端の面積は、供給圧を受ける後端の面積より小さい。このように、可撓部８５の供給圧を受ける脱泡経路７５側の後端面の面積を大きくすることで、圧力調整機構１８からの圧力を比較的広い面積で受けて圧力を受け易くし、可撓部８５のフィルム７２に当接する当接部８５１の面積を小さくすることで、フィルム７２を押圧する空間Ｒ2内のインクの圧力による反発を小さくすることができる。例えば、可撓部８５のフィルム７２に当接する当接部８５１の面積と後端面の面積とを１：５とした場合、圧力調整機構１８による空気の圧力Ｐａ（Ｐａ）、インク圧力Ｐｉ（Ｐａ）、バネ力Ｆｓ（Ｎ）、フィルム７２の反力Ｆ（Ｎ）、可撓部８５の後端面の受圧面積Ａ（ｍ２）、可撓部８５の当接部８５１のフィルム７２から受ける受圧面積Ａｆ（ｍ２）（＝１／５・Ａ）、可撓部８５のゴム反力Ｆｇ（Ｎ）とすると、開閉弁Ｂ[1]を開くために必要な条件はＰａ・Ａ−Ｆｇ＞Ｐｉ（１／５・Ａ）＋Ｆｓ＋Ｆとなり、Ｐａ＞（１／５）Ｐｉ＋（Ｆｓ＋Ｆ＋Ｆｇ）／Ａで表される。この式に表されるように、本実施形態の当接部８５１を設けた場合に開閉弁Ｂ[1]を開くのに必要な圧力調整機構１８の圧力Ｐａは、フィルム７２によって区切られた空間Ｒ2内のインクの圧力Ｐｉの影響を１／５に低減したものとすることができる。したがって、当接部８５１がフィルム７２によって反発される力が弱くなることから、圧力調整機構１８による脱泡経路７５の圧力が小さくても、可撓部８５の変形を維持することができる。このため、圧力調整機構１８が脱泡経路７５に大きな圧力を供給する必要がなく、圧力調整機構１８が脱泡経路７５を高い圧力に加圧するまでの時間が不要となって加圧動作に必要な時間を短縮することができると共に、圧力調整機構１８の耐久性を向上することができる。また、圧力調整機構１８として大きな圧力を出力可能な装置が不要となり、圧力調整機構１８を小型化することができると共にコストを低減することができる。また、開閉弁Ｂ[1]を開くために必要な圧力調整機構１８の圧力は、空間Ｒ2内のインクの圧力変化に対する影響が小さいため、圧力調整機構１８の設計を簡便化することができる。
【００５３】
このような可撓膜８３は、図５に示すように、可撓部８５の固定部８４側の根元から、可撓部８５と開閉弁Ｂ[1]との当接位置までの長さは、可撓膜８３の可撓部８５の根元と開閉弁Ｂ[1]までの最短距離よりも長くなっている。ここで本実施形態では、可撓膜８３が当接する開閉弁Ｂ[1]、具体的にはフィルム７２の受圧板７２３が設けられた領域には、可撓部８５の当接部８５１が当接するため、可撓部８５の根元と開閉弁Ｂ[1]までの最短距離とは、可撓部８５の根元から当接部８５１が当接するフィルム７２の領域までを結ぶ最短距離Ｌ1のことをいう。また、可撓部８５の固定部８４側の根元から可撓部８５と開閉弁Ｂ[1]との当接位置までの長さとは、第２接続部８５５と第２壁部８５４と第１接続部８５３と第１壁部８５２との合計の長さＬ2のことをいう。そして、可撓膜８３の第２接続部８５５と第２壁部８５４と第１接続部８５３と第１壁部８５２との合計の長さＬ2は、可撓膜８３の可撓部８５の根元から当接部８５１が当接するフィルム７２の領域までを結ぶ最短距離Ｌ1よりも長い（Ｌ2＞Ｌ1）。このように、可撓膜８３の可撓部８５の根元から当接部８５１までの長さＬ2を、可撓膜８３の根元から開閉弁Ｂ[1]までの最短距離Ｌ1よりも長くすることで、図８に示すように、可撓膜８３が加圧動作によって開閉弁Ｂ[1]側に突出するように変形した際に、当接部８５１によって開閉弁Ｂ[1]を確実に押圧させて開閉弁Ｂ[1]を開弁させることができる。ちなみに、可撓膜８３の可撓部８５の根元から当接部８５１までの長さＬ2が、可撓膜８３の根元から開閉弁Ｂ[1]までの最短距離Ｌ1よりも短いと、加圧動作によって当接部８５１を開閉弁Ｂ[1]に当接させるのが困難になると共に、当接部８５１を開閉弁Ｂ[1]に当接させるには、蛇腹を開くように変形させて当接部８５１を開閉弁Ｂ[1]側に移動させた後、さらに可撓部８５の厚さが薄くなるように弾性変形によって伸長させる必要がある。このように可撓部８５を伸長させるように弾性変形させるためには、加圧動作における圧力を高くする必要がある。これに対して、可撓膜８３の可撓部８５の根元から当接部８５１までの長さＬ2を、可撓膜８３の根元から開閉弁Ｂ[1]までの最短距離Ｌ1よりも長くすることで、当接部８５１によって開閉弁Ｂ[1]を確実に押圧させることができるため、加圧動作における圧力を比較的小さくすることができる。
【００５４】
また、本実施形態では、図５に示すように、減圧動作を実行した際に、突出部８５０の凹である第２凹部８６２の相対向する内壁面同士は、互いに当接することなく間隔を空けて配置されている。すなわち、第１壁部８５２と第２壁部８５４とは、互いに当接することなく、所定の間隔を空けて配置されている。このように、第２凹部８６２の相対向する内壁面同士を互いに当接させずに間隔を空けて配置することで、図８に示すように、加圧動作を行って可撓膜８３を弾性変形させる際に、可撓部８５の変形、特に第２壁部８５４の変形が阻害されるのを抑制することができる。例えば、第２凹部８６２の内壁面同士が当接している場合、すなわち、第２壁部８５４の第２接続部８５５側の端部（第２接続部８５５の端部）が、第１壁部８５２に当接している場合には、当接部８５１が開閉弁Ｂ[1]側に向かってＺ方向に移動する際に、第２接続部８５５からＺ方向の負側に延設された第２壁部８５４がＺ方向の正側に屈曲するように変形する際のスペースが少なくなり、第２壁部８５４の変形が阻害されてしまうからである。なお、第１壁部８５２の当接部８５１側の端部が第２壁部８５４の側面に当接している場合であっても、可撓膜８３の変形が阻害される。本実施形態では、第１壁部８５２と第２壁部８５４との側面を、互いに当接することなく所定の間隔を空けて配置することで、可撓膜８３の変形が阻害されるのを抑制することができ、比較的低い圧力で可撓膜８３を変形させることが可能である。
【００５５】
なお、本実施形態では、第１凹部８６１においても同様に、相対向する内壁面同士が互いに当接することなく所定の間隔を空けて配置されている。すなわち、当接部８５１のＸ方向及びＹ方向の両側に設けられた第１壁部８５２の内壁面同士が互いに当接することなく所定の間隔を空けて配置されている。これにより、加圧動作時に可撓膜８３が、第２接続部８５５からＺ方向の負側に延設された第２壁部８５４がＺ方向の正側に屈曲するように変形する際のスペースを確保することができ、可撓膜８３の変形を容易に行わせることができる。
【００５６】
また、本実施形態では、第３凹部８６３においても同様に、相対向する内壁面同士が互いに当接することなく所定の間隔を空けて配置されている。
このように、第１凹部８６１及び第２凹部８６２の各々において、相対向する内壁面同士が互いに当接することなく間隔を空けて配置されている構成とするには、例えば、可撓膜８３を蓋部材８１とスペーサー８２との間で挟んで固定する前の状態において、第２凹部８６２の体積（図５中に断面で示すＳ1）と、第３凹部８６３の体積（図５中に断面で示すＳ2）との合計が、可撓膜８３を蓋部材８１と弁機構７０側であるスペーサー８２とで挟んで固定したときの排除体積（図５中に断面で示すＳ3）の半分よりも大きくすればよい。すなわち、可撓膜８３の固定部８４は、蓋部材８１とスペーサー８２との間で挟まれた際に排除された体積Ｓ3の分だけ、Ｘ方向及びＹ方向を含む方向に伸長する。固定部８４の伸長は、可撓部８５側と可撓部８５とは反対側との両側に生じるため、可撓部８５側に伸長する量は、固定部８４の排除された体積Ｓ3の半分となる。したがって、固定部８４が伸長することによって可撓部８５に弛みが生じた際に、第２凹部８６２及び第３凹部８６３の各々において相対向する内壁面同士が互いに当接しないようにするには、第２凹部８６２の体積Ｓ1及び第３凹部８６３の体積Ｓ2の合計を、可撓膜８３を固定する際に排除した排除体積Ｓ3の半分（１／２）よりも大きくすればよい｛（Ｓ1＋Ｓ2）＞（Ｓ3）／２｝。
【００５７】
また、本実施形態の可撓膜８３は、可撓部８５の根元、すなわち、第２接続部８５５の固定部８４に接続された端部の中心は、固定部８４の第２接続部８５５側の端面の中心よりも開閉弁Ｂ[１]側に設けられている。このように、可撓部８５の根元の中心を固定部８４の中心よりも開閉弁Ｂ[1]側に設けることで、可撓部８５と開閉弁Ｂ[1]とのＺ方向の距離を短くして、可撓部８５によって開閉弁Ｂ[1]を確実に動作させることができる。また、上述のように、可撓膜８３が蓋部材８１とスペーサー８２との間に挟まれて固定されている場合、可撓膜８３の固定部８４が挟まれることによって伸長する。このとき、図９に示すように、Ｚ方向において、可撓部８５の根元の中心Ｃ1が、固定部８４の可撓部８５側の端面の中心Ｃ2よりも蓋部材８１側に設けられていると、固定部８４の伸長によって可撓部８５が蓋部材８１側に突出するように変形し、当接部８５１と開閉弁Ｂ[1]との距離が遠くなってしまう。本実施形態では、可撓膜８３を蓋部材８１とスペーサー８２との間に挟んで固定することで固定部８４が伸長しても、可撓部８５の根元の中心を固定部８４の可撓部８５側の端面の中心よりも開閉弁Ｂ[1]側に設けることで、可撓部８５が蓋部材８１側に突出するように変形するのを抑制して、可撓部８５によって開閉弁Ｂ[1]を確実に動作させることができる。
【００５８】
なお、図５に示すように、減圧動作によって可撓膜８３の変形が解除された状態では、空間Ｒ2内の圧力が所定の範囲内に維持されている場合には、弁体７２２をバネ７２４が付勢することで封止部７２７が弁座７２１の表面に密着する。したがって、空間Ｒ1と空間Ｒ2とは遮断される。他方、液体噴射部４４によるインクの噴射や外部からの吸引に起因して空間Ｒ2内の圧力が所定の閾値を下回る数値まで低下すると、フィルム７２が弁座７２１側に変位することで受圧板７２３が弁軸７２６を押圧し、弁体７２２がバネ７２４による付勢に対抗して移動することで封止部７２７が弁座７２１から離間する。したがって、空間Ｒ1と空間Ｒ2とが連通孔ＨAを介して相互に連通する。すなわち、フィルム７２は、貯留室である空間Ｒ2内の第１圧力と、貯留室外である制御室ＲCの第２圧力との差に応じて動く。なお、制御室ＲCは、大気開放されていてもよい。これにより、フィルム７２を、大気圧と空間Ｒ2内の圧力との差に応じて動かすことができる。
【００５９】
また、上述のように圧力調整機構１８による加圧で可撓膜８３が変形すると、可撓膜８３による押圧でフィルム７２が弁座７２１側に変位する。したがって、受圧板７２３による押圧で弁体７２２が移動して開閉弁Ｂ[1]が開放される。すなわち、空間Ｒ2内の圧力の高低に関わらず、圧力調整機構１８による加圧で強制的に開閉弁Ｂ[1]を開放することが可能である。すなわち、フィルム７２は、貯留室である空間Ｒ2内の第１圧力と、制御室ＲCの第２圧力との差に応じて動き、且つ可撓膜８３に押されることで動く。
【００６０】
本実施形態では、圧力調整機構１８による加圧で可撓膜８３を変形させて、可撓膜８３によってフィルム７２を変形させるようにしたため、可撓膜８３は圧力調整機構１８の圧力を受け易く、圧力調整機構１８による加圧を比較的小さくしても可撓膜８３を動作させることができる。
【００６１】
ちなみに、可撓膜８３を設けずに、制御室ＲC内の空気を加圧して直接、フィルム７２を押圧する場合、制御室ＲCの圧力を、空間Ｒ2内のインクの圧力よりも大きくしないとフィルム７２によって弁体７２２を押圧することができない。また、空間Ｒ2内のインクの圧力が変化すると、必要な圧力調整機構１８の圧力の変化も大きく、圧力調整機構１８の設計が困難になってしまう。ここで、圧力調整機構１８による空気の圧力Ｐａ（Ｐａ）、インク圧力Ｐｉ（Ｐａ）、バネ力Ｆｓ（Ｎ）、フィルム７２の反力Ｆ（Ｎ）、フィルム７２の受圧面積Ａ（ｍ２）とすると、開閉弁Ｂ[1]を開くために必要な条件はＰａ・Ａ＞Ｐｉ×Ａ＋Ｆｓ＋Ｆ、すなわち、Ｐａ＞Ｐｉ＋（Ｆｓ＋Ｆ）／Ａで表される。この式に表されるように、フィルム７２を直接圧力調整機構１８の圧力によって変形させるには、圧力調整機構１８の圧力Ｐａをインクの圧力Ｐｉよりも大きくする必要があった。
【００６２】
これに対して、本実施形態では、突出部８５０を有する可撓膜８３を設けることで、可撓膜８３の圧力調整機構１８からの供給圧を受ける空間Ｒ3側の面積を広くすることができ、可撓膜８３を比較的小さな圧力で動作させることができる。したがって、圧力調整機構１８が脱泡経路７５及び空間Ｒ3に大きな圧力を供給する必要がなく、圧力調整機構１８が脱泡経路７５及び空間Ｒ3を高い圧力に達するまで加圧する時間が不要となって加圧動作に必要な時間を短縮することができると共に、圧力調整機構１８の耐久性を向上することができる。また、圧力調整機構１８として大きな圧力を出力可能な装置が不要となり、圧力調整機構１８を小型化することができると共にコストを低減することができる。
【００６３】
一方、図３に示すように、脱泡流路ユニット４２は、流路ユニット４１を経由したインクを液体噴射部４４に供給する流路が内部に形成された構造体である。
具体的には、本実施形態の脱泡流路ユニット４２は、脱泡空間ＱとフィルターＦ[1]と鉛直空間ＲVと逆止弁７４とを包含する。脱泡空間Ｑは、インクから抽出された気泡が一時的に滞留する空間である。
【００６４】
フィルターＦ[1]は、液体噴射部４４にインクを供給するための内部流路を横断するように設置され、インクに混入した気泡や異物を捕集する。具体的には、フィルターＦ[1]は、空間ＲF1と空間ＲF2とを仕切るように設置される。上流側の空間ＲF1は流路ユニット４１の空間Ｒ2に連通し、下流側の空間ＲF2は鉛直空間ＲVに連通する。
【００６５】
空間ＲF1と脱泡空間Ｑとの間には気体透過膜ＭC（第２気体透過膜の例示）が介在する。具体的には、空間ＲF1の天井面が気体透過膜ＭCで構成される。気体透過膜ＭCは、気体（空気）は透過させるけれどもインク等の液体は透過させない気体透過性の膜体（気液分離膜）であり、例えば公知の高分子材料で形成される。フィルターＦ[1]で捕集された気泡は、浮力による上昇で空間ＲF1の天井面に到達し、気体透過膜ＭCを透過することで脱泡空間Ｑに排出される。すなわち、インクに混入した気泡が分離される。
【００６６】
鉛直空間ＲVは、インクを一時的に貯留するための空間である。第１実施形態の鉛直空間ＲVには、フィルターＦ[1]を通過したインクが空間ＲF2から流入する流入口Ｖinと、インクがノズルＮ側に流出する流出口Ｖoutとが形成される。すなわち、空間ＲF2内のインクは、流入口Ｖinを介して鉛直空間ＲVに流入し、鉛直空間ＲV内のインクは流出口Ｖoutを介して液体噴射部４４（マニホールドＳR）に流入する。図３に例示される通り、流出口Ｖoutと比較して鉛直方向の上方（Ｚ方向の負側）に流入口Ｖinが位置する。
【００６７】
鉛直空間ＲVと脱泡空間Ｑとの間には気体透過膜ＭA（第１気体透過膜の例示）が介在する。具体的には、鉛直空間ＲVの天井面が気体透過膜ＭAで構成される。気体透過膜ＭAは、前述の気体透過膜ＭCと同様に気体透過性の膜体である。したがって、フィルターＦ[1]を通過して鉛直空間ＲVに進入した気泡は浮力により上昇し、鉛直空間ＲVの天井面の気体透過膜ＭAを透過して脱泡空間Ｑに排出される。前述の通り、流入口Ｖinは流出口Ｖoutと比較して鉛直方向の上方に位置するから、鉛直空間ＲV内での浮力を利用して気泡を効果的に天井面の気体透過膜ＭAに到達させることが可能である。
【００６８】
液体噴射部４４のマニホールドＳRには、前述の通り、鉛直空間ＲVの流出口Ｖoutから供給されるインクが流入する流入口Ｒinが形成される。すなわち、鉛直空間ＲVの流出口Ｖoutから流出したインクは流入口Ｒinを介してマニホールドＳRに流入し、開口部４８１Ａを経由して各圧力室ＳCに供給される。また、第１実施形態のマニホールドＳRには排出口Ｒoutが形成される。排出口Ｒoutは、マニホールドＳRの天井面４９に形成された流路である。図３に例示される通り、マニホールドＳRの天井面４９は、流入口Ｒin側から排出口Ｒout側にかけて高くなる傾斜面（平面または曲面）である。したがって、流入口Ｒinから進入した気泡は浮力の作用で天井面４９に沿って排出口Ｒout側に誘導される。
【００６９】
マニホールドＳRと脱泡空間Ｑとの間には気体透過膜ＭB（第１気体透過膜の例示）が介在する。気体透過膜ＭBは、気体透過膜ＭAや気体透過膜ＭCと同様に気体透過性の膜体である。したがって、マニホールドＳRから排出口Ｒoutに進入した気泡は浮力により上昇し、気体透過膜ＭBを透過して脱泡空間Ｑに排出される。前述の通り、マニホールドＳR内の気泡は天井面４９に沿って排出口Ｒoutに誘導されるから、例えばマニホールドＳRの天井面４９を水平面とした構成と比較してマニホールドＳR内の気泡を効果的に排出することが可能である。なお、気体透過膜ＭAと気体透過膜ＭBと気体透過膜ＭCとを単一の膜体で形成することも可能である。
【００７０】
以上に説明した通り、本実施形態では、鉛直空間ＲVと脱泡空間Ｑとの間に気体透過膜ＭAが介在し、マニホールドＳRと脱泡空間Ｑとの間に気体透過膜ＭBが介在し、空間ＲF1と脱泡空間Ｑとの間に気体透過膜ＭCが介在する。すなわち、気体透過膜ＭAと気体透過膜ＭBと気体透過膜ＭCとの各々を透過した気泡が共通の脱泡空間Ｑに到達する。したがって、液体噴射ユニット４０の各部にて抽出された気泡が別個の空間に供給される構成と比較して、気泡の排出のための構造が簡素化されるという利点がある。
【００７１】
図３に例示される通り、脱泡空間Ｑは脱泡経路７５に連通する。脱泡経路７５は、脱泡空間Ｑに滞留した空気を装置外部に排出するための経路である。脱泡空間Ｑと脱泡経路７５との間には逆止弁７４が介在する。逆止弁７４は、脱泡空間Ｑから脱泡経路７５に向かう空気の流通を許可する一方、脱泡経路７５から脱泡空間Ｑに向かう空気の流通を阻害する弁機構である。
【００７２】
図１０は、脱泡流路ユニット４２のうち逆止弁７４の近傍に着目した説明図である。図１０に例示される通り、第１実施形態の逆止弁７４は、弁座７４１と弁体７４２とバネ７４３とを包含する。弁座７４１は、脱泡空間Ｑと脱泡経路７５とを仕切る平板状の部分である。弁座７４１には、脱泡空間Ｑと脱泡経路７５とを連通させる連通孔ＨBが形成される。弁体７４２は、弁座７４１に対向するとともにバネ７４３により弁座７４１側に付勢される。脱泡経路７５内の圧力が脱泡空間Ｑ内の圧力以上に維持された状態（脱泡経路７５内が大気開放または加圧された状態）では、バネ７４３からの付勢により弁体７４２が弁座７４１に密着することで連通孔ＨBが閉塞される。したがって、脱泡空間Ｑと脱泡経路７５とは遮断される。他方、脱泡経路７５内の圧力が脱泡空間Ｑ内の圧力を下回る状態（脱泡経路７５内が減圧された状態）では、弁体７４２がバネ７４３による付勢に対抗して弁座７４１から離間する。したがって、脱泡空間Ｑと脱泡経路７５とが連通孔ＨBを介して相互に連通する。
【００７３】
本実施形態の脱泡経路７５は、圧力調整機構１８と流路ユニット４１の制御室ＲCとを連結する経路に接続される。すなわち、圧力調整機構１８に接続された経路が２系統に分岐し、一方が制御室ＲCに接続されるとともに他方が脱泡経路７５に接続される。
【００７４】
図３に示すように、液体噴射ユニット４０から流路ユニット４１を経由して分配流路３６の内部に至る排出経路７６が形成される。排出経路７６は、液体噴射ユニット４０の内部流路（具体的には液体噴射部４４にインクを供給するための流路）に連通する経路である。具体的には、排出経路７６は、各液体噴射部４４のマニホールドＳRの排出口Ｒoutと鉛直空間ＲVとに連通する。
【００７５】
排出経路７６のうち液体噴射ユニット４０とは反対側の端部は閉塞弁７８に接続される。閉塞弁７８が設置される位置は任意であるが、分配流路３６内に閉塞弁７８を設置した構成が図３では例示されている。閉塞弁７８は、通常状態では排出経路７６を閉塞し（ノーマリークローズ）、一時的に排出経路７６を大気に開放可能な弁機構である。
【００７６】
内部流路からの気泡の排出に着目した液体噴射ユニット４０の動作を説明する。図１１に例示される通り、液体噴射ユニット４０に最初にインクを充填（以下「初期充填」という）する段階では、圧力調整機構１８が加圧動作を実行する。すなわち、弁機構７０の脱泡経路７５内が空気の供給により加圧される。したがって、制御室ＲC内の可撓膜８３がフィルム７２側に弾性変形してフィルム７２および受圧板７２３が変位し、受圧板７２３からの押圧により弁体７２２が移動して空間Ｒ1と空間Ｒ2とが連通する。脱泡経路７５が加圧された状態では逆止弁７４により脱泡空間Ｑと脱泡経路７５とが遮断されるから、脱泡経路７５内の空気は脱泡空間Ｑには流入しない。他方、初期充填の段階では閉塞弁７８が開放される。
【００７７】
以上の状態において、液体圧送機構１６は、液体容器１４に貯留されたインクを液体噴射ユニット４０の内部流路に圧送する。具体的には、液体圧送機構１６から圧送されたインクは、開放状態にある開閉弁Ｂ[1]を介して鉛直空間ＲVに供給され、鉛直空間ＲVからマニホールドＳRおよび各圧力室ＳCに供給される。前述の通り閉塞弁７８は開放されているから、初期充填の実行前に内部流路に存在していた空気は、内部流路および排出経路７６に対するインクの充填とともに排出経路７６と閉塞弁７８とを通過して装置外部に排出される。したがって、液体噴射ユニット４０のマニホールドＳRと各圧力室ＳCとを含む内部流路の全体にインクが充填され、圧電アクチュエーター４８４の動作によりノズルＮからインクを噴射可能な状態となる。以上に例示した通り、第１実施形態では、液体圧送機構１６から液体噴射ユニット４０にインクが圧送されるときに閉塞弁７８が開放されるから、液体噴射ユニット４０の内部流路にインクを効率的に充填することが可能である。以上に説明した初期充填が完了すると、圧力調整機構１８による加圧動作が停止するとともに閉塞弁７８が閉塞される。
【００７８】
図１２に例示される通り、初期充填が完了して液体噴射装置１００が使用可能な状態では、液体噴射ユニット４０の内部流路に存在する気泡が常時的に脱泡空間Ｑに排出される。具体的には、空間ＲF1内の気泡は気体透過膜ＭCを介して脱泡空間Ｑに排出され、鉛直空間ＲV内の気泡は気体透過膜ＭAを介して脱泡空間Ｑに排出され、マニホールドＳR内の気泡は気体透過膜ＭBを介して脱泡空間Ｑに排出される。他方、開閉弁Ｂ[1]は、空間Ｒ2内の圧力が所定の範囲内に維持された状態では閉塞され、空間Ｒ2内の圧力が所定の閾値を下回ると開放される。開閉弁Ｂ[1]が開放されると、液体圧送機構１６から供給されるインクが空間Ｒ1から空間Ｒ2に流入し、結果的に空間Ｒ2の圧力が上昇することで開閉弁Ｂ[1]は閉塞される。
【００７９】
図１２に例示した動作状態で脱泡空間Ｑに滞留した空気は、脱泡動作により装置外部に排出される。脱泡動作は、例えば液体噴射装置１００の電源投入の直後や印刷動作の間等の任意の時期に実行される。図１３は、脱泡動作の説明図である。図１３に例示される通り、脱泡動作を開始すると、圧力調整機構１８は減圧動作を実行する。すなわち、空間Ｒ3と脱泡経路７５とが空気の吸引により減圧される。
【００８０】
脱泡経路７５が減圧されると、逆止弁７４の弁体７４２がバネ７４３による付勢に対抗して弁座７４１から離間し、脱泡空間Ｑと脱泡経路７５とが連通孔ＨBを介して相互に連通する（図１０参照）。したがって、脱泡空間Ｑ内の空気は脱泡経路７５を介して装置外部に排出される。他方、内部空間の減圧により可撓膜８３はフィルム７２とは反対側に変形するが、制御室ＲC内の圧力（ひいてはフィルム７２）には影響しないから、開閉弁Ｂ[1]は閉塞した状態に維持される。
【００８１】
以上説明したように、本実施形態では、弁機構７０に用いる可撓膜機構８０として、蓋部材８１と、蓋部材８１との間で空間Ｒ3を形成する可撓膜８３と、空間Ｒ3に連通する流体流路である脱泡経路７５と、を備え、可撓膜８３は、当該可撓膜８３の変形により弁機構７０の開閉弁Ｂ[1]を開閉させ、可撓膜８３は蓋部材８１側に凸となり、凸の反対側に凹（第２凹部８６２）となる突出部８５０を有する。このように、可撓膜８３に突出部８５０を設けることで、可撓膜８３が流体流路である脱泡経路７５を介して圧力調整機構１８からの圧力を受ける面積を増大させて、可撓膜８３を比較的低い圧力で動作させることができる。特に、可撓膜８３の凹凸となる突出部８５０を広げるように変形させることができるため、可撓膜８３を厚さが薄くなるように伸長させて変形させるのに比べて、比較的低い圧力で変形させて、開閉弁Ｂ[1]を動作させることができる。したがって、供給圧として比較的高い圧力が不要となり、圧力調整機構１８が脱泡経路７５及び空間Ｒ3を高い圧力に達するまで加圧する時間が不要となって加圧動作に必要な時間を短縮することができると共に、圧力調整機構１８の耐久性を向上することができる。
【００８２】
また、本実施形態では、可撓膜８３は、空間Ｒ3外で固定された固定部８４と固定部８４から空間Ｒ3内に延設された可撓部８５とを具備し、可撓部８５の固定部８４側の根元から可撓部８５と弁機構７０の開閉弁Ｂ[1]との当接位置までの長さＬ2は、可撓膜８３の可撓部８５の固定部８４側の根元から可撓部８５が開閉弁Ｂ[1]に当接する位置までの最短距離Ｌ1よりも長い。本実施形態では、可撓部８５のうち固定部８４から当接部８５１までの長さ、すなわち、第１壁部８５２と第１接続部８５３と第２壁部８５４と第２接続部８５５とを合計した長さＬ2が、最短距離Ｌ1よりも長くなるようにした。このように、可撓部８５の固定部８４側の根元から可撓部８５と弁機構７０の開閉弁Ｂ[1]との当接位置までの長さＬ2を、最短距離Ｌ1よりも長くすることで、可撓膜８３の可撓部８５の突出部８５０が広がるように変形した際に、可撓部８５によって開閉弁Ｂ[1]を確実に押圧して動作させることができる。また、可撓部８５の突出部８５０が広がるように変形するだけで開閉弁Ｂ[1]を動作させることができるため、可撓部８５を厚さが薄くなるように伸長させる場合に比べて低い圧力で動作させることができる。もちろん、可撓膜８３の長さＬ2は、最短距離Ｌ1よりも短くてもよいが、可撓膜８３を変形させて開閉弁Ｂ[1]を動作させるためには、突出部８５０を広げるように変形させると共に、可撓膜８３を伸長するように変形させる必要があり、動作圧力が高くなってしまう。ただし、可撓膜８３の長さＬ2が、最短距離Ｌ1よりも短い場合であっても、平板状の可撓膜を用いた場合に比べて、低い圧力で弾性変形させることができる。
【００８３】
また、本実施形態では、可撓膜８３は、蓋部材８１とこの蓋部材８１の可撓膜８３側に設けられた部材であるスペーサー８２との間で挟まれて固定されており、可撓膜８３の凹である第２凹部８６２の相対向する内壁面同士が互いに当接することなく間隔を空けて配置されている。これにより、可撓膜８３の突出部８５０が広がるように変形する際に、第２凹部８６２の内壁面同士が当接することによって変形が阻害されるのを抑制することができ、比較的低い圧力で可撓膜８３を変形させることができる。
【００８４】
もちろん、第２凹部８６２の相対向する内壁面同士が互いに当接していてもよいが、可撓膜８３を変形させるには、第２凹部８６２の相対向する内壁面同士が互いに当接していない場合に比べて比較的高い圧力が必要になる。
【００８５】
また、本実施形態では、可撓膜８３は、空間Ｒ3外で蓋部材８１とこの蓋部材８１の可撓膜８３側に設けられた部材であるスペーサー８２との間で挟まれて固定された固定部８４と固定部８４から空間Ｒ3内に延設された可撓部８５とを有し、可撓膜８３の固定部８４が挟まれるＺ方向において、可撓部８５の固定部８４側の端部の中心Ｃ1は、固定部８４の可撓部８５側の端部の中心Ｃ2よりも開閉弁Ｂ[1]側の位置となるようにした。これにより、固定部８４を挟んで固定することによる伸長によって、可撓部８５が蓋部材８１側に凸となるように変形するのを抑制して、可撓部８５と開閉弁Ｂ[1]との距離が遠くなるのを抑制することができる。したがって、可撓膜８３によって開閉弁Ｂ[1]を確実に動作させることができると共に可撓膜機構８０をＺ方向に小型化することができる。
【００８６】
また、本実施形態では、可撓膜機構８０は開閉弁Ｂ[1]に連通する部屋である空間Ｒ2と部屋Ｒ2の一部を規定するフィルム７２であって、変形により開閉弁Ｂ[1]を開閉させるフィルム７２を具備し、弁機構７０のフィルム７２と可撓膜８３との距離を一定に保つためのスペーサー８２を有する。このようにスペーサー８２によってフィルム７２と可撓膜８３との距離を一定に保つことで、可撓膜８３が動作しない状態で、可撓膜８３がフィルム７２の機能を阻害するのを抑制することができる。また、可撓膜８３が変形した際に、フィルム７２を確実に押圧することができる。
【００８７】
なお、本実施形態では、可撓膜機構８０にスペーサー８２を設けるようにしたが、スペーサー８２は、弁機構７０側に設けられていてもよい。また、スペーサー８２は、弁機構筐体７１や蓋部材８１に一体的に設けられていてもよい。
【００８８】
また、本実施形形態では、開閉弁Ｂ[1]の開閉と逆止弁７４の開閉とに圧力調整機構１８が共用されるため、開閉弁Ｂ[1]と逆止弁７４とを別個の機構により制御する構成と比較して、開閉弁Ｂ[1]および逆止弁７４を制御するための構成を簡素化することができる。
【００８９】
さらに、本実施形態では、フィルム７２には受圧板７２３を設けるようにした。このため、可撓膜８３がフィルム７２を押圧した際にフィルム７２が伸びてしまうことや破れてしまうなどの変形を抑制することができる。また、受圧板７２３を弁体７２２側に設けることで、弁体７２２が直接フィルム７２に接触するのを抑制して、フィルム７２の弁体７２２に接触することによる変形や破損を抑制することができる。もちろん、受圧板７２３は、設けられていなくてもよい。
【００９０】
さらに、本実施形態の液体噴射ユニット４０は、流路構造体である流路ユニット４１と、貯留室である空間Ｒ2内のインクを吐出して第１圧力を変更する液体噴射部４４とを備える。液体噴射部４４が空間Ｒ2内のインクを吐出することで、空間Ｒ2内のインクが消費されても、空間Ｒ2内の圧力に基づいてフィルム７２が動作して開閉弁Ｂ[1]を開弁して空間Ｒ1から空間Ｒ2内にインクを供給することができる。したがって、液体噴射部４４に一定の圧力でインクを供給することができる。
【００９１】
（実施形態２）
図１４及び図１５は、本発明の実施形態２に係る流路ユニットの要部断面図であり、図１４は、減圧動作時を示す図であり、図１５は、加圧動作時を示す図である。なお、上述した実施形態と同様の部材には同一の符号を付して重複する説明は省略する。
【００９２】
図１４に示すように、本実施形態の可撓膜８３は、蓋部材８１とスペーサー８２とにＺ方向で挟まれて固定された固定部８４と空間Ｒ3及び制御室ＲCを隔てる可撓部８５とを有する。
減圧動作時において可撓部８５は、当接部８５１と第１壁部８５２と第１接続部８５３と第２壁部８５４と第２接続部８５５とを有する。可撓部８５を構成する当接部８５１と第１壁部８５２と第１接続部８５３と第２壁部８５４と第２接続部８５５とは略同じ厚さを有し、固定部８４は可撓部８５よりも厚くなっている。
【００９３】
当接部８５１は、上述した実施形態１と同様にＸ方向及びＹ方向を含む面方向に沿って延設されている。
第１壁部８５２は、当接部８５１の周囲に亘って連続した環状に設けられている。第１壁部８５２は、当接部８５１よりもフィルム７２側に立設されている。具体的には、第１壁部８５２は、一端が当接部８５１に接続され、他端が当接部８５１よりもフィルム７２側に位置するようにＺ方向に沿って延設されている。
【００９４】
第１接続部８５３は、第１壁部８５２の周囲に亘って連続した環状に設けられている。第１接続部８５３は、一端が第１壁部８５２のフィルム７２側に位置する他端に接続されており、他端が第１壁部８５２よりも外側にＸ方向及びＹ方向を含む方向に延設されている。
【００９５】
第２壁部８５４は、第１接続部８５３の周囲に亘って連続した環状に設けられている。第２壁部８５４は、第１接続部８５３よりもフィルム７２とは反対側、すなわち蓋部材８１側に立設されている。具体的には、第２壁部８５４は、一端が第１接続部８５３に接続され、他端が第１接続部８５３よりも蓋部材８１側で、且つ当接部８５１よりもフィルム７２側の位置となるようにＺ方向に沿って延設されている。
【００９６】
第２接続部８５５は、第２壁部８５４の周囲に亘って連続した環状に設けられている。第２接続部８５５は、一端が第２壁部８５４の他端に接続されており、他端が第２壁部８５４よりも外側に第１の方向Ｘ及び第２の方向Ｙを含む方向に延設されている。また、第２接続部８５５は、第２壁部８５４に接続された一端とは反対側の他端において、固定部８４に接続されている。すなわち、第２接続部８５５は固定部８４と第２壁部８５４とを接続する。このような可撓膜８３では、固定部８４が蓋部材８１とスペーサー８２とによって挟まれるＺ方向において、可撓部８５の固定部８４側の根元、すなわち、第２接続部８５５の固定部８４側の端部の中心Ｃ1は、固定部８４の可撓部８５側の端部の中心Ｃ2よりも開閉弁Ｂ[１]側に設けられている。
【００９７】
このように当接部８５１の周囲には、中心が同一である環状の第１壁部８５２と第１接続部８５３と第２壁部８５４と第２接続部８５５とによって蛇腹が形成されている。すなわち、本実施形態の可撓部８５には、当接部８５１と当接部８５１の周囲に設けられた第１壁部８５２とによってフィルム７２側に開口する第１凹部８６１が設けられている。また、第１凹部８６１の周囲には、第１壁部８５２と第１接続部８５３と第２壁部８５４とによって蓋部材８１側に開口する第２凹部８６２が周方向に亘って連続した環状に設けられている。さらに、第２凹部８６２の周囲には、第２壁部８５４と第２接続部８５５と固定部８４とによってフィルム７２側に開口する第３凹部８６３が周方向に亘って連続した環状に設けられている。これら第１凹部８６１と第２凹部８６２と第３凹部８６３とは、Ｚ方向から平面視した際に互いに重ならない位置に設けられており、これにより蛇腹が形成されている。つまり、本実施形態では、可撓部８５の当接部８５１と第１壁部８５２とが、蓋部材８１側に凸となりフィルム７２側に凹（第２凹部８６２）となる突出部８５０となっている。
【００９８】
また、本実施形態では、突出部８５０によってフィルム７２側に凹となる第１凹部８６１の相対向する内壁面同士は、互いに当接することなく間隔を空けて配置されている。すなわち、当接部８５１のＸ方向及びＹ方向を含む方向の両側に設けられた第１壁部８５２同士は、互いに当接することなく、所定の間隔を空けて配置されている。なお、本実施形態では、第２凹部８６２及び第３凹部８６３についても第１凹部８６１と同様に、相対向する内壁面同士が互いに当接することなく、所定の間隔を空けて配置されている。このように第１凹部８６１の相対向する内壁面同士が互いに当接することなく間隔を空けて配置するには、上述した実施形態１と同様に、第２凹部８６２の体積（断面をＳ1で示す）と第３凹部８６３の体積（断面をＳ2で示す）との合計が、固定部８４を固定することで排除される体積Ｓ3の半分以上であればよい。
【００９９】
さらに、可撓膜８３は、可撓部８５の固定部８４側の根元から、可撓部８５と開閉弁Ｂ[1]との当接位置までの長さＬ3、本実施形態では、第１壁部８５２と第１接続部８５３と第２壁部８５４と第２接続部８５５との合計の長さＬ3は、可撓膜８３の可撓部８５の根元と開閉弁Ｂ[1]までの最短距離Ｌ1よりも長くなっている。
【０１００】
このような可撓膜８３は、圧力調整機構１８によって加圧動作が行われると、図１５に示すように、可撓膜８３の可撓部８５は、当接部８５１がフィルム７２に向かって移動するように弾性変形する。すなわち、可撓部８５は、蛇腹に形成された当接部８５１と第１壁部８５２とで形成された第１凹部８６１が広がるように弾性変形して、当接部８５１が開閉弁Ｂ[1]に向かって移動する。すなわち、第１接続部８５３からＺ方向の負側に延設された第１壁部８５２が、Ｚ方向の正側に屈曲するように弾性変形することで、当接部８５１が開閉弁Ｂ[1]側に移動する。そして、フィルム７２側に移動した当接部８５１がフィルム７２に当接してフィルム７２をＺ方向の正側に押圧することで開閉弁Ｂ[1]が開弁される。
【０１０１】
このような可撓膜８３であっても、上述した実施形態１と同様に、可撓膜８３が流体流路である脱泡経路７５からの圧力を受ける面積を増大させて、可撓膜８３を比較的低い圧力で動作させることができる。
【０１０２】
また、可撓部８５の固定部８４側の根元から可撓部８５と弁機構７０の開閉弁Ｂ[1]との当接位置までの長さＬ3を、最短距離Ｌ1よりも長くすることで、可撓膜８３の可撓部８５の突出部８５０が広がるように変形した際に、可撓部８５によって開閉弁Ｂ[1]を確実に押圧して動作させることができる。
【０１０３】
また、本実施形態では、可撓膜８３は、蓋部材８１とスペーサー８２との間で挟まれて固定されており、可撓膜８３の凹である第１凹部８６１の相対向する内壁面同士が互いに当接することなく間隔を空けて配置されているため、可撓膜８３の変形が阻害されるのを抑制することができる。
【０１０４】
また、図１４に示すように、可撓部８５の固定部８４側の端部の中心Ｃ1は、固定部８４の可撓部８５側の端部の中心Ｃ2よりも開閉弁Ｂ[1]側に位置とすることで、固定部８４を挟んで固定することによる伸長によって、可撓部８５が蓋部材８１側に凸となるように変形して、可撓部８５と開閉弁Ｂ[1]との距離が遠くなるのを抑制することができる。
【０１０５】
なお、本実施形態では、当接部８５１は、第２接続部８５５よりも蓋部材８１側、すなわち、Ｚ方向の負側に位置するようにしたが、特にこれに限定されない。ここで、可撓膜の変形例を図１６に示す。
図１６に示すように、可撓膜８３の当接部８５１は、第２接続部８５５よりも開閉弁Ｂ[1]側に配置されている。このような構成であっても、第１壁部８５２と第１接続部８５３と第２壁部８５４と第２接続部８５５との合計の長さＬ4が、最短距離Ｌ1よりも長くなっていれば、可撓膜８３によって開閉弁Ｂ[1]を確実に動作させることができる。
【０１０６】
（実施形態３）
図１７及び図１８は、本発明の実施形態３に係る流路ユニットの要部断面図であり、図１７は、減圧動作時を示す図であり、図１８は、加圧動作時を示す図である。なお、上述した実施形態と同様の部材には同一の符号を付して重複する説明は省略する。
【０１０７】
図１７に示すように、本実施形態の可撓膜８３は、蓋部材８１とスペーサー８２とにＺ方向で挟まれて固定された固定部８４と空間Ｒ3及び制御室ＲCを隔てる可撓部８５とを有する。
【０１０８】
減圧動作時において可撓部８５は、当接部８５１と第１壁部８５２と第１接続部８５３とを有する。すなわち、本実施形態の可撓部８５には、第２壁部８５４と第２接続部８５５とは設けられていない。可撓部８５を構成する当接部８５１と第１壁部８５２と第１接続部８５３とは略同じ厚さを有し、固定部８４は可撓部８５よりも厚くなっている。また、可撓部８５を構成する当接部８５１と第１壁部８５２と第１接続部８５３とは、上述した実施形態２と同様であるため、重複する説明は省略する。
【０１０９】
このような可撓膜８３では、当接部８５１の周囲には、中心が同一である環状の第１壁部８５２と第１接続部８５３とによって蛇腹が形成されている。すなわち、本実施形態の可撓部８５には、当接部８５１と当接部８５１の周囲に設けられた第１壁部８５２とによってフィルム７２側に開口する第１凹部８６１が設けられている。また、第１凹部８６１の周囲には、第１壁部８５２と第１接続部８５３と固定部８４とによって蓋部材８１側に開口する第２凹部８６２が周方向に亘って連続した環状に設けられている。これら第１凹部８６１と第２凹部８６２とは、Ｚ方向から平面視した際に互いに重ならない位置に設けられており、これにより蛇腹が形成されている。つまり、本実施形態では、可撓部８５の当接部８５１と第１壁部８５２とが、蓋部材８１側に凸となりフィルム７２側に凹（第２凹部８６２）となる突出部８５０となっている。
【０１１０】
また、本実施形態では、突出部８５０によってフィルム７２側に凹となる第１凹部８６１の相対向する内壁面同士は、互いに当接することなく間隔を空けて配置されている。すなわち、当接部８５１のＸ方向及びＹ方向を含む方向の両側に設けられた第１壁部８５２同士は、互いに当接することなく、所定の間隔を空けて配置されている。なお、本実施形態では、第２凹部８６２についても第１凹部８６１と同様に、相対向する内壁面同士が互いに当接することなく、所定の間隔を空けて配置されている。
【０１１１】
さらに、可撓膜８３は、可撓部８５の固定部８４側の根元から、可撓部８５と開閉弁Ｂ[1]との当接位置までの長さＬ5、本実施形態では、第１壁部８５２と第１接続部８５３との合計の長さＬ5は、可撓膜８３の可撓部８５の根元と開閉弁Ｂ[1]までの最短距離Ｌ1よりも長くなっている。
【０１１２】
このような可撓膜８３は、圧力調整機構１８によって加圧動作が行われると、図１９に示すように、可撓膜８３の可撓部８５は、当接部８５１がフィルム７２に向かって移動するように弾性変形する。すなわち、可撓部８５は、蛇腹に形成された当接部８５１と第１壁部８５２とで形成された第１凹部８６１が広がるように弾性変形して、当接部８５１が開閉弁Ｂ[1]に向かって移動する。すなわち、第１接続部８５３からＺ方向の負側に延設された第１壁部８５２が、Ｚ方向の正側に屈曲するように弾性変形することで、当接部８５１が開閉弁Ｂ[1]側に移動する。そして、フィルム７２側に移動した当接部８５１がフィルム７２に当接してフィルム７２をＺ方向の正側に押圧することで開閉弁Ｂ[1]が開弁される。
【０１１３】
このような構成の可撓膜８３であっても、上述した実施形態と同様に可撓膜８３が流体流路である脱泡経路７５からの圧力を受ける面積を増大させて、可撓膜８３を比較的低い圧力で動作させることができる。
【０１１４】
また、可撓部８５の固定部８４側の根元から可撓部８５と弁機構７０の開閉弁Ｂ[1]との当接位置までの長さＬ5を、最短距離Ｌ1よりも長くすることで、可撓膜８３の可撓部８５の突出部８５０が広がるように変形した際に、可撓部８５によって開閉弁Ｂ[1]を確実に押圧して動作させることができる。
【０１１５】
また、本実施形態では、可撓膜８３は、蓋部材８１とスペーサー８２との間で挟まれて固定されており、可撓膜８３の凹である第１凹部８６１の相対向する内壁面同士が互いに当接することなく間隔を空けて配置されているため、可撓膜８３の変形が阻害されるのを抑制することができる。
【０１１６】
また、可撓部８５の固定部８４側の端部の中心Ｃ1は、固定部８４の可撓部８５側の端部の中心Ｃ2よりも開閉弁Ｂ[1]側に位置とすることで、固定部８４を挟んで固定することによる伸長によって、可撓部８５が蓋部材８１側に凸となるように変形して、可撓部８５と開閉弁Ｂ[1]との距離が遠くなるのを抑制することができる。
【０１１７】
（実施形態４）
図１９及び図２０は、本発明の実施形態４に係る流路ユニットの要部断面図であり、図１９は、減圧動作時を示す図であり、図２０は、加圧動作時を示す図である。なお、上述した実施形態と同様の部材には同一の符号を付して重複する説明は省略する。
【０１１８】
図１９に示すように、本実施形態の可撓膜８３は、蓋部材８１とスペーサー８２とにＺ方向で挟まれて固定された固定部８４と空間Ｒ3及び制御室ＲCを隔てる可撓部８５とを有する。
【０１１９】
減圧動作時において可撓部８５は、当接部８５１と第３壁部８５６Ａと第４壁部８５６Ｂと第３接続部８５７と第５壁部８５８と第４接続部８５９とを有する。可撓部８５を構成する当接部８５１と第３壁部８５６Ａと第４壁部８５６Ｂと第３接続部８５７と第５壁部８５８と第４接続部８５９とは略同じ厚さを有し、固定部８４は可撓部８５よりも厚くなっている。
【０１２０】
第３壁部８５６Ａは、当接部８５１のＸ方向の正側に当接部８５１から蓋部材８１側に向かって立設されている。
第４壁部８５６Ｂは、当接部８５１のＸ方向の負側に当接部８５１から蓋部材８１側に向かって立設されている。第４壁部８５６Ｂは、第３壁部８５６ＡよりもＺ方向に長い。なお、第３壁部８５６Ａと第４壁部８５６Ｂとは、Ｙ方向の端部において連続していてもよく、不連続であってもよい。
【０１２１】
第３接続部８５７は、一端が第４壁部８５６Ｂの蓋部材８１側に位置する端部に接続されており、他端が第４壁部８５６ＢよりもＸ方向の負側に向かって延設されている。
第５壁部８５８は、第３接続部８５７よりもフィルム７２側に向かって立設されている。
【０１２２】
第４接続部８５９は、第３壁部８５６Ａの端部と固定部８４とを接続すると共に、第５壁部８５８の端部と固定部８４とを接続するように、第３壁部８５６Ａ、第４壁部８５６Ｂ、第３接続部８５７及び第５壁部８５８の周囲に亘って連続して設けられている。
【０１２３】
このように可撓膜８３には、第３壁部８５６Ａと第４壁部８５６Ｂと第３接続部８５７と第５壁部８５８とによって蛇腹が形成されている。すなわち、本実施形態の可撓部８５には、当接部８５１と第３壁部８５６Ａと第４壁部８５６Ｂとによって蓋部材８１側に開口する第１凹部８６１が設けられている。また、可撓部８５には、第１凹部８６１のＸ方向の負側に、第４壁部８５６Ｂと第３接続部８５７と第５壁部８５８とによって第２凹部８６２が設けられている。さらに、可撓部８５には、第３壁部８５６Ａと第４接続部８５９と固定部８４とによってフィルム７２側に開口する第３凹部８６３が設けられている。また、可撓部８５には、第５壁部８５８と第４接続部８５９と固定部８４とによって蓋部材８１側に開口する第４凹部８６４が設けられている。これら、第１凹部８６１と第２凹部８６２と第３凹部８６３と第４凹部８６４とは、Ｚ方向から平面視した際に互いに重ならない位置に設けられており、これにより蛇腹が形成されている。つまり、本実施形態では、可撓部８５の第４壁部８５６Ｂと第３接続部８５７と第５壁部８５８とが、蓋部材８１側に凸となりフィルム７２側に凹（第２凹部８６２）となる突出部８５０となっている。
【０１２４】
また、本実施形態では、突出部８５０によってフィルム７２側に凹となる第２凹部８６２の相対向する内壁面同士は、互いに当接することなく間隔を空けて配置されている。すなわち、第２凹部８６２を形成する第４壁部８５６Ｂと第５壁部８５８とは、互いに当接することなく所定の間隔を空けて配置されている。なお、本実施形態では、第１凹部８６１、第３凹部８６３及び第４凹部８６４についても第２凹部８６２と同様に、相対向する内壁面同士が互いに当接することなく所定の間隔を空けて配置されている。
【０１２５】
さらに、可撓膜８３は、可撓部８５の固定部８４側の根元から、可撓部８５と開閉弁Ｂ[1]との当接位置までの長さＬ6は、可撓膜８３の可撓部８５の根元と開閉弁Ｂ[1]までの最短距離Ｌ1よりも長くなっている。本実施形態では、可撓部８５は、当接部８５１よりもＸ方向の正側と負側との両側において固定部８４までの長さＬ6は同じ長さとなるように設けられている。このため、可撓部８５が変形した際に、当接部８５１は、Ｘ方向において中心に移動することができる。
【０１２６】
このような可撓膜８３は、圧力調整機構１８によって加圧動作が行われると、図２０に示すように、可撓膜８３の可撓部８５は、当接部８５１がフィルム７２に向かって移動するように弾性変形する。すなわち、可撓部８５は、蛇腹に形成された第４壁部８５６Ｂと第３接続部８５７と第５壁部８５８とで形成された第２凹部８６２が広がるように弾性変形して、当接部８５１が開閉弁Ｂ[1]に向かって移動する。すなわち、第４接続部８５９からＺ方向の負側に延設された第５壁部８５８が、Ｚ方向の正側に屈曲するように弾性変形することで、当接部８５１が開閉弁Ｂ[1]側に移動する。そして、フィルム７２側に移動した当接部８５１がフィルム７２に当接してフィルム７２をＺ方向の正側に押圧することで開閉弁Ｂ[1]が開弁される。
【０１２７】
このような構成の可撓膜８３であっても、上述した実施形態と同様に可撓膜８３が流体流路である脱泡経路７５からの圧力を受ける面積を増大させて、可撓膜８３を比較的低い圧力で動作させることができる。
【０１２８】
また、可撓部８５の固定部８４側の根元から可撓部８５と弁機構７０の開閉弁Ｂ[1]との当接位置までの長さＬ6を、最短距離Ｌ1よりも長くすることで、可撓膜８３の可撓部８５の突出部８５０が広がるように変形した際に、可撓部８５によって開閉弁Ｂ[1]を確実に押圧して動作させることができる。
【０１２９】
また、本実施形態では、可撓膜８３は、蓋部材８１とスペーサー８２との間で挟まれて固定されており、可撓膜８３の凹である第１凹部８６１の相対向する内壁面同士が互いに当接することなく間隔を空けて配置されているため、可撓膜８３の変形が阻害されるのを抑制することができる。
【０１３０】
また、可撓部８５の固定部８４側の端部の中心Ｃ1は、固定部８４の可撓部８５側の端部の中心Ｃ2よりも開閉弁Ｂ[1]側に位置とすることで、固定部８４を挟んで固定することによる伸長によって、可撓部８５が蓋部材８１側に凸となるように変形して、可撓部８５と開閉弁Ｂ[1]との距離が遠くなるのを抑制することができる。
【０１３１】
（実施形態５）
図２１及び図２２は、本発明の実施形態５に係る流路ユニットの要部断面図であり、図２１は、減圧動作時を示す図であり、図２２は、加圧動作時を示す図である。なお、上述した実施形態と同様の部材には同一の符号を付して重複する説明は省略する。
【０１３２】
図２１に示すように、本実施形態の可撓膜８３は、蓋部材８１とスペーサー８２とにＺ方向で挟まれて固定された固定部８４と空間Ｒ3及び制御室ＲCを隔てる可撓部８５とを有する。
【０１３３】
減圧動作時において可撓部８５は、制御室ＲC側に突出するように湾曲して設けられている。すなわち、可撓膜８３は、フィルム７２側に第１凹部８６１が開口して設けられており、可撓部８５の全体が蓋部材８１側に凸となり、開閉弁Ｂ[1]側に第１凹部８６１が設けられて凹となる突出部８５０となっている。
【０１３４】
また、本実施形態では、可撓部８５のフィルム７２側に凹となる第１凹部８６１の相対向する内壁面同士は互いに当接することなく間隔を空けて配置されている。
また、可撓膜８３は、可撓部８５の固定部８４側の根元から、可撓部８５と開閉弁Ｂ[1]との当接位置までの長さＬ7は、可撓膜８３の可撓部８５の根元と開閉弁Ｂ[1]までの最短距離Ｌ1よりも長くなっている。
【０１３５】
また、可撓膜８３は、固定部８４が挟まれるＺ方向において、可撓部８５の固定部８４側の端部の中心Ｃ1は、固定部８４の可撓部８５側の端部の中心Ｃ2よりも開閉弁Ｂ[1]側に設けられている。
【０１３６】
このような可撓膜８３は、圧力調整機構１８によって加圧動作が行われると、図２２に示すように、可撓膜８３の可撓部８５は、蓋部材８１側が凹となりフィルム７２側が凸となるように弾性変形する。そして、可撓部８５がフィルム７２側に移動することによって可撓部８５がフィルム７２をＺ方向の正側に押圧して開閉弁Ｂ[1]が開弁される。
【０１３７】
このような構成の可撓膜８３であっても、上述した実施形態と同様に可撓膜８３が流体流路である脱泡経路７５からの圧力を受ける面積を増大させて、可撓膜８３を比較的低い圧力で動作させることができる。
【０１３８】
また、可撓部８５の固定部８４側の根元から可撓部８５と弁機構７０の開閉弁Ｂ[1]との当接位置までの長さＬ7を、最短距離Ｌ1よりも長くすることで、可撓膜８３の可撓部８５の突出部８５０が広がるように変形した際に、可撓部８５によって開閉弁Ｂ[1]を確実に押圧して動作させることができる。
【０１３９】
また、本実施形態では、可撓膜８３は、蓋部材８１とスペーサー８２との間で挟まれて固定されており、可撓膜８３の凹である第１凹部８６１の相対向する内壁面同士が互いに当接することなく間隔を空けて配置されているため、可撓膜８３の変形が阻害されるのを抑制することができる。
【０１４０】
また、可撓部８５の固定部８４側の端部の中心Ｃ1は、固定部８４の可撓部８５側の端部の中心Ｃ2よりも開閉弁Ｂ[1]側に位置することで、固定部８４を挟んで固定することによる伸長によって、可撓部８５が蓋部材８１側に凸となるように変形して、可撓部８５と開閉弁Ｂ[1]との距離が遠くなるのを抑制することができる。
【０１４１】
（他の実施形態）
以上、本発明の各実施形態を説明したが、本発明の基本的な構成は上述したものに限定されるものではない。
例えば、上述した各実施形態では、空間Ｒ3は脱泡経路７５を介して圧力調整機構１８と連通しているが、空間Ｒ3内の圧力を調整できれば、脱泡経路７５を介して圧力調整機構１８と連通しなくてもよい。例えば、空間Ｒ3を脱泡経路７５とは連通させず、脱泡経路７５以外の流体流路を介して、圧力調整機構１８とは異なる機構により、空間Ｒ3内の圧力を調整してもよい。
【０１４２】
また、上述した各実施形態では、空間Ｒ3は、蓋部材８１の凹部８１１が可撓膜８３で覆われることにより形成されたが、凹部８１１を蓋部材８１に設けなくてもよい。例えば、可撓膜８３に凹部を設け、それを蓋部材８１で覆うことにより空間Ｒ3を形成してもよい。
【０１４３】
また、上述した各実施形態では、可撓部８５の厚さを略同じ厚さとしたが、特にこれに限定されず、可撓部８５の開閉弁Ｂ[1]に当接する当接部８５１を他の部分よりも厚くしてもよい。また、当接部８５１の開閉弁Ｂ[1]に当接する一部に、開閉弁Ｂ[1]側に突出する凸部を設けるようにしてもよい。
【０１４４】
また、上述した各実施形態では、第１壁部８５２、第２壁部８５４、第３壁部８５６Ａ、第４壁部８５６Ｂ、第５壁部８５８は、Ｚ方向に沿って設けられるようにしたが、特にこれに限定されず、Ｚ方向に対して傾斜する方向に沿って設けられていてもよい。また、第１接続部８５３、第２接続部８５５、第３接続部８５７、第４接続部８５９は、Ｘ方向及びＹ方向を含む方向が面方向となるように設けたが、特にこれに限定されず、Ｘ方向及びＹ方向の何れか一方又は両方に対して傾斜した方向に沿って設けるようにしてもよい。
【０１４５】
また、上述した実施形態１〜５では、当接部８５１の周囲に亘って連続して蛇腹を設けるようにしたが、特にこれに限定されず、不連続であってもよい。このような例を図２３及び図２４に示す。なお、図２３及び図２４は、実施形態１の可撓膜の変形例を示す平面図である。
【０１４６】
図２３に示すように、第１壁部８５２、第１接続部８５３及び第２壁部８５４は、当接部８５１の周囲に周方向で不連続となるように設けられていてもよい。
また、図２４に示すように，第１壁部８５２、第１接続部８５３及び第２壁部８５４は、当接部８５１のＸ方向の両側に設けられており、Ｙ方向の両側に設けられていなくてもよい。
【０１４７】
また、上述した各実施形態の開閉弁Ｂ[1]は、弁体７２２をバネ７２４の付勢力によって付勢することによって閉弁するようにしたが、特にこれに限定されず、例えば、弁体７２２の自重によって閉弁するようにしてもよい。
【０１４８】
また、上述した各実施形態では、開閉弁Ｂ[1]が設けられた流路が、空間Ｒ2に連通した構成を例示したが、特にこれに限定されず、開閉弁Ｂ[1]が設けられた流路が、貯留室である空間Ｒ2に連通せずに、代わりに貯留室へ液体を圧送するための動力源、つまり、液体圧送機構１６に連通しており、開閉弁Ｂ[1]が開くことで液体圧送機構１６が作動して貯留室である空間Ｒ2にインクを圧送し、その結果としてフィルム７２の一方側の第１圧力が大きくなるようにしてもよい。すなわち、開閉弁Ｂ[1]が開閉する流路は、インク以外の流体の流路であってもよく、開閉弁Ｂ[1]が開閉した結果として、インクが流れるようにしてもよい。
【０１４９】
また、受圧部であるフィルム７２は、第１圧力と第２圧力との釣り合いに応じて動くものであればよく、材料は、例えば、膜や金属薄板等であってもよい。また、フィルム７２の形状は、平坦なものであってもよく、屈曲が繰り返された、所謂、蛇腹形状であってもよく、さらには袋状体であってもよい。
【０１５０】
さらに、上述した各実施形態では、フィルム７２が、空間Ｒ2と制御室ＲCとを区分けするようにしたが、特にこれに限定されず、フィルム７２が貯留室の内部に袋状体で設けられていてもよい。
また、可撓膜８３は、ゴム等の弾性部材としたが、特にこれに限定されず、可撓性を有する樹脂や金属等であってもよい。
【０１５１】
さらに、上述した各実施形態では、脱泡空間Ｑを減圧することで、脱泡空間Ｑ内の気泡を除去するようにしたが、減圧する用途は特にこれに限定されない。例えば、減圧される空間、一方向弁を介してインクが通過する流路と連通させて、空間の減圧時に一方向弁を開いて流路内のインクを気泡と共に回収するものであってもよい。つまり、減圧される空間は、インクに含まれる気泡を溜める目的に用いることができる。もちろん、減圧される空間は、インクに含まれる気泡を溜める目的に以外の用途にも用いることができる。その他の用途としては、例えば、空間を減圧することで流路内の圧力変動を吸収するためのダンパー室の容積を変更して、ダンパー室の特性を変更するようにしてもよい。さらに、空間をノズルＮに臨むように開口させて、空間を減圧することで、ノズルＮ近傍に付着したゴミを吸引除去するものであってもよい。
【０１５２】
また、脱泡空間Ｑ内の気泡を除去するために減圧が用いられる場合には、減圧される空間は気体透過性を有するシート状部材（例えば、ポリアセタールやポリプロピレンやポリフェニレンエーテル等の薄膜）や、気体透過性を有する程度の厚さの剛性壁（例えば、透過区画壁を含む脱泡流路ユニット４２の材質をＰＯＭ（ポリアセタール）、ｍ−ＰＰＥ（変性ポリフェニレンエーテル）、又はＰＰ（ポリプロピレン）等のプラスチックまたはこれらのアロイとし、剛性壁の厚さを、一般的には０．５ｍｍ前後とする）により、少なくともその一部が形成されることが望ましい。あるいは、これらのシート状部材や剛性壁により形成された部屋と弁を介して連通する部屋が減圧する空間に相当する場合には、減圧する空間は熱硬化性樹脂や金属等により形成されてもよい。また、空間への減圧によりノズルＮ近傍に付着したゴミを吸引除去するために空間が用いられる場合には、空間は熱硬化性樹脂や金属等により、形成されることが好ましい。
【０１５３】
また、上述した各実施形態では、流体供給源である圧力調整機構１８からの流体として空気を例示したが、特にこれに限定されず、流体として、不活性ガスや、インクに用いられる液体、インク以外の液体等を用いるようにしてもよい。
【０１５４】
さらに、上述した各実施形態では、圧力室ＳCに圧力変化を生じさせる圧力発生手段として、圧電アクチュエーター４８４を用いて説明したが、圧電アクチュエーター４８４としては、例えば、電極及び圧電材料を成膜及びリソグラフィー法により積層形成した薄膜型、グリーンシートを貼付する等の方法により形成される厚膜型、圧電材料と電極形成材料とを交互に積層させて軸方向に伸縮させる縦振動型の圧電素子を用いることができる。また、圧力発生手段として、圧力室ＳC内に発熱素子を配置して、発熱素子の発熱で発生するバブルによってノズルから液滴を吐出するものや、振動板と電極との間に静電気を発生させて、静電気力によって振動板を変形させてノズルから液滴を吐出させるいわゆるものなどを使用することができる。
【０１５５】
また、上述した実施形態では、液体噴射ユニット４０が、流路構造体である流路ユニット４１を具備するものを例示したが、特にこれに限定されず、液体噴射ユニット４０には流路構造体である流路ユニット４１が設けられていなくてもよい。すなわち、流路ユニット４１を液体噴射部４４とは別の場所に設けるようにしてもよい。
【０１５６】
さらに、上述した各実施形態では、可撓膜機構が、弁機構の開閉弁Ｂ[1]を押圧することにより開弁するようにしたが、特にこれに限定されない。ここで、流路ユニットの変形例を図２５及び図２６に示す。なお、図２５及び図２６は、流路ユニットの要部断面図であって、図２５は、減圧動作を示す図であり、図２６は、加圧動作を示す図である。
【０１５７】
図２５に示すように、流路ユニット４１は弁機構７０と可撓膜機構８０とを有する。弁機構７０は、弁機構筐体７１と開閉弁Ｂ[1]とフィルム７２とを有する。弁機構筐体７１には、空間Ｒ1と空間Ｒ2とが形成されている。空間Ｒ1は、下流側の流路、例えば、脱泡流路ユニット４２や液体噴射部４４の流路に接続されており、空間Ｒ2から脱泡流路ユニット４２や液体噴射部４４にインクが供給される。空間Ｒ2は、上流側の流路、例えば、液体容器１４が接続されており、液体容器１４からインクが供給される。
【０１５８】
開閉弁Ｂ[1]は、弁座７２１と弁体７２２と受圧板７２３とバネ７２４とを具備する。弁座７２１は、弁機構筐体７１の一部であって空間Ｒ1と空間Ｒ2とを仕切る平板状の部分である。弁座７２１には、空間Ｒ1と空間Ｒ2とを連通させる連通孔ＨAが形成される。受圧板７２３は、フィルム７２のうち弁座７２１との対向面に設置された略円形状の平板材である。
【０１５９】
弁体７２２は、基部７２５と第１弁軸７２６と封止部７２７と第２弁軸７２８とを包含する。基部７２５は、空間Ｒ2内に配置されている。また、第１弁軸７２６は、基部７２５の表面からＺ方向の正側に垂直に突起して設けられている。また、第２弁軸７２８は、基部７２５の表面から受圧板７２３側に向かって垂直に突起して設けられている。このような弁体７２２では、第１弁軸７２６が連通孔ＨAに挿入され、バネ７２４により受圧板７２３側に付勢される。
このような弁機構７０のＺ方向の負側には、上述した実施形態１と同様の可撓膜機構８０が設けられている。
【０１６０】
そして、図２６に示すように、加圧動作が行われることによって可撓膜８３が変形して、可撓膜８３がフィルム７２及び受圧板７２３をＺ方向の正側に押圧すると、弁体７２２の封止部７２７が弁座７２１に当接して空間Ｒ1と空間Ｒ2とは遮断、いわゆる閉弁する。また、図２５に示すように、減圧動作が行われることによって、可撓膜８３の変形が解除されると、弁体７２２はバネ７２４の付勢力によってフィルム７２側に移動し、空間Ｒ1と空間Ｒ2とは連通孔ＨAを介して連通、すなわち、開弁する。これにより空間Ｒ2に供給されたインクは、空間Ｒ1から下流側に供給される。このような弁機構７０及び可撓膜機構８０は、例えば、流路をチョークした状態でノズルＮからインクと共に気泡を吸引し、一気に流路のチョークを解除する、所謂チョーククリーニングなどで用いることができる。
【０１６１】
また、本発明は、広く液体噴射装置全般を対象としたものであり、例えば、プリンター等の画像記録装置に用いられる各種のインクジェット式記録ヘッド等の記録ヘッド、液晶ディスプレイ等のカラーフィルターの製造に用いられる色材噴射ヘッド、有機ＥＬディスプレイ、ＦＥＤ（電界放出ディスプレイ）等の電極形成に用いられる電極材料噴射ヘッド、バイオｃｈｉｐ製造に用いられる生体有機物噴射ヘッドを用いた液体噴射装置にも用いることが可能である。
【０１６２】
また、上述した実施形態１では、液体噴射ヘッドに可撓膜機構８０を設けるようにしたが、特にこれに限定されず、液体噴射ヘッド以外の液体噴射装置内に可撓膜機構８０を設けるようにしてもよい。
また、本発明は、広く流路部材全般を対象としたものであり、液体噴射装置や液体噴射ヘッド以外のデバイスにも用いることが可能である。
【符号の説明】
【０１６３】
１２…媒体、１４…液体容器、１６…液体圧送機構、１８…圧力調整機構、２０…制御ユニット、２２…搬送機構、２４…液体噴射ヘッド、２６…移動機構、３２…接続ユニット、３４…第２支持体、３６…分配流路、３８…液体噴射モジュール、４０…液体噴射ユニット、４１…流路ユニット、４２…脱泡流路ユニット、４４…液体噴射部、４９…天井面、５０…連結ユニット、７０…弁機構、７１…弁機構筐体、７２…フィルム、７４…逆止弁、７５…脱泡経路（流体流路）、７５ａ…開口部、７６…排出経路、７８…閉塞弁、８０…可撓膜機構、８１…蓋部材、８２…スペーサー、８３…可撓膜、８４…固定部、８５…可撓部、１００…液体噴射装置、２４２…第１支持体、２４４…組立体、２６２…搬送体、２６４…搬送ベルト、４８１…流路基板、４８１Ａ…開口部、４８１Ｂ…分岐流路、４８１Ｃ…連通流路、４８２…圧力室基板、４８２Ａ…開口部、４８３…振動板、４８４…圧電アクチュエーター、４８５…筐体部、４８６…保護基板、４８７…ノズル板、４８８…緩衝板、７２１…弁座、７２２…弁体、７２３…受圧板、７２４…バネ、７２５…基部、７２６…弁軸、第１弁軸、７２７…封止部、７２８…第２弁軸、７４１…弁座、７４２…弁体、７４３…バネ、８１１…凹部、８２１…貫通部、８５０…突出部、８５１…当接部、８５２…第１壁部、８５３…第１接続部、８５４…第２壁部、８５５…第２接続部、８５６Ａ…第３壁部、８５６Ｂ…第４壁部、８５７…第３接続部、８５８…第５壁部、８５９…第４接続部、８６１…第１凹部、８６２…第２凹部、８６３…第３凹部、８６４…第４凹部、Ｂ[1]…開閉弁、Ｆ[1]…フィルター、ＨA…連通孔、Ｊ…噴射面、ＭA、ＭB、ＭC…気体透過膜、Ｎ…ノズル、Ｑ…脱泡空間、Ｒ1…空間、Ｒ2…空間、Ｒ3…空間、Ｒin…流入口、ＲC…制御室、ＲV…鉛直空間、Ｒout…排出口、ＳR…マニホールド（共通液室）、ＳC…圧力室、Ｖin…流入口、Ｖout…流出口
【図１】
2018154051.tif 000003
【図２】
2018154051.tif 000004
【図３】
2018154051.tif 000005
【図４】
2018154051.tif 000006
【図５】
2018154051.tif 000007
【図６】
2018154051.tif 000008
【図７】
2018154051.tif 000009
【図８】
2018154051.tif 000010
【図９】
2018154051.tif 000011
【図１０】
2018154051.tif 000012
【図１１】
2018154051.tif 000013
【図１２】
2018154051.tif 000014
【図１３】
2018154051.tif 000015
【図１４】
2018154051.tif 000016
【図１５】
2018154051.tif 000017
【図１６】
2018154051.tif 000018
【図１７】
2018154051.tif 000019
【図１８】
2018154051.tif 000020
【図１９】
2018154051.tif 000021
【図２０】
2018154051.tif 000022
【図２１】
2018154051.tif 000023
【図２２】
2018154051.tif 000024
【図２３】
2018154051.tif 000025
【図２４】
2018154051.tif 000026
【図２５】
2018154051.tif 000027
【図２６】
2018154051.tif 000028